(57)【要約】ワイヤレス通信のための方法、システム、およびデバイスが説明される。ユーザ機器（ＵＥ）は、複数の基地局と通信するために多入力多出力（ＭＩＭＯ）レイヤ固有の、およびコードワード固有の通信構成を使用し得る。例えば、複数の基地局は、ＵＥに多地点協調（ＣｏＭＰ）送信を提供するように構成され得る。基地局の１つまたは複数は、少なくとも１つのＭＩＭＯレイヤ固有の、またはコードワード固有の構成を含む通信構成のセットをＵＥに送信し得る。ＵＥは、その後、特定の時間期間の間にどの通信構成を使用すべきかの動的なインジケーションを受信し得る。ＵＥは、その後、特定の時間期間の間に、示された構成を使用して基地局のうちの１つまたは複数と通信し得る。
2019510416.tif 000002
【特許請求の範囲】
【請求項１】
ワイヤレス通信の方法であって、
複数の基地局に関連付けられた通信構成のセットを受信することと、ここにおいて、通信構成の前記セットのうちの少なくとも１つは、多入力多出力（ＭＩＭＯ）レイヤ固有の構成またはコードワード固有の構成を備え、
通信構成の前記セットから通信構成のインジケーションを受信することと、
前記通信構成を使用して前記複数の基地局のうちの少なくとも１つの基地局と通信することと
を備える、方法。
【請求項２】
前記通信構成は、チャネル状態情報（ＣＳＩ）電力オフセット構成、ＣＳＩサブフレームセット構成、コードブック制限、レートマッチング構成、疑似コロケーション（ＱＣＬ）インジケーション、またはこれらの任意の組み合わせを備える、請求項１に記載の方法。
【請求項３】
前記レートマッチング構成は、物理ダウンリンク共有チャネル（ＰＤＳＣＨ）送信のための開始シンボル、ＰＤＳＣＨ送信のための終了シンボル、マルチメディアブロードキャストマルチキャスト（ＭＢＭＳ）単一周波数ネットワーク（ＭＢＳＦＮ）インジケーション、セル固有の基準信号（ＣＲＳ）構成、１つまたは複数の非ゼロ電力ＣＳＩ基準信号（ＮＺＰ ＣＳＩ−ＲＳ）構成、またはこれらの任意の組み合わせを備える、請求項２に記載の方法。
【請求項４】
前記通信構成に少なくとも部分的に基づいて前記複数の基地局の各々に対するリソース割り振りを識別することをさらに備え、前記通信することは、前記リソース割り振りに少なくとも部分的に基づく、請求項１に記載の方法。
【請求項５】
前記通信構成に少なくとも部分的に基づいて前記少なくとも１つの基地局のためのＣＳＩ−ＲＳポート構成を識別することと、
前記少なくとも１つの基地局にＣＳＩレポートを送信することと、ここにおいて、前記ＣＳＩレポートは、前記ＣＳＩ−ＲＳポート構成および前記複数の基地局に基づき、
をさらに備える、請求項１に記載の方法。
【請求項６】
前記ＣＳＩ−ＲＳポート構成は、ユーザ機器（ＵＥ）のための受信ポートの数および前記少なくとも１つの基地局のための送信ポートの数に少なくとも部分的に基づく、請求項５に記載の方法。
【請求項７】
前記通信構成に少なくとも部分的に基づいて前記少なくとも１つの基地局についての個々のＣＳＩレポートを生成することと、ここにおいて、前記通信構成は、単一の基地局との通信に基づき、
前記個々のＣＳＩレポートを送信することと
をさらに備える、請求項１に記載の方法。
【請求項８】
前記通信構成に少なくとも部分的に基づいて前記複数の基地局の各々についての組み合わされたＣＳＩレポートを生成することと、ここにおいて、前記通信構成は、前記複数の基地局との通信に基づき、
前記複数の基地局の各々についての前記組み合わされたＣＳＩレポートを送信することと
をさらに備える、請求項１に記載の方法。
【請求項９】
前記通信構成に少なくとも部分的に基づいて前記複数の基地局の各々のための特殊サブフレーム構成を識別することをさらに備え、前記通信することは、前記特殊サブフレーム構成に少なくとも部分的に基づく、請求項１に記載の方法。
【請求項１０】
前記特殊サブフレーム構成は、復調基準信号（ＤＭＲＳ）パターンを備え、前記通信することは、前記ＤＭＲＳパターンに少なくとも部分的に基づく、請求項９に記載の方法。
【請求項１１】
前記通信構成は、アップリンク（ＵＬ）構成およびダウンリンク（ＤＬ）構成を備える、請求項１に記載の方法。
【請求項１２】
前記通信構成は、拡張物理ダウンリンク制御チャネル（ｅＰＤＣＣＨ）構成を備え、前記通信することは、前記ｅＰＤＣＣＨ構成に少なくとも部分的に基づく、請求項１に記載の方法。
【請求項１３】
前記ｅＰＤＣＣＨ構成は、前記ＭＩＭＯレイヤ固有の構成または前記コードワード固有の構成に関連付けられた１つまたは複数のｅＰＤＣＣＨリソースセットを備える、請求項１に記載の方法。
【請求項１４】
前記複数の基地局は、協調ビームフォーミング（ＣＢＦ）モード、動的ポイント選択（ＤＰＳ）モード、またはジョイント送信（ＪＴ）モードを備える多地点協調（ＣｏＭＰ）構成にしたがって協調され、通信することは、前記ＣｏＭＰ構成に少なくとも部分的に基づく、請求項１に記載の方法。
【請求項１５】
ワイヤレス通信の方法であって、
複数の基地局に関連付けられた通信構成のセットを送信することと、ここにおいて、通信構成の前記セットのうちの少なくとも１つは、ＭＩＭＯレイヤ固有の通信またはコードワード固有の通信に基づき、
通信構成の前記セットから通信構成のインジケーションを送信することと、
前記通信構成を使用してＵＥと通信することと
を備える、方法。
【請求項１６】
前記通信構成は、ＣＳＩ電力オフセット構成、ＣＳＩサブフレームセット構成、コードブック制限、レートマッチング構成、疑似コロケーション（ＱＣＬ）インジケーション、またはこれらの任意の組み合わせを備える、請求項１５に記載の方法。
【請求項１７】
前記通信構成に少なくとも部分的に基づいてＣＳＩ−ＲＳポート構成を識別することと、
前記ＣＳＩ−ＲＳポート構成および前記複数の基地局に基づいてＣＳＩレポートを受信することと
をさらに備える、請求項１５に記載の方法。
【請求項１８】
前記通信構成に少なくとも部分的に基づいて組み合わされたＣＳＩレポートを受信することをさらに備え、前記通信構成は、前記複数の基地局との通信に基づく、請求項１５に記載の方法。
【請求項１９】
ワイヤレス通信のための装置であって、
複数の基地局に関連付けられた通信構成のセットを受信するための手段と、ここにおいて、通信構成の前記セットのうちの少なくとも１つは、多入力多出力（ＭＩＭＯ）レイヤ固有の構成またはコードワード固有の構成を備え、
通信構成の前記セットから通信構成のインジケーションを受信するための手段と、
前記通信構成を使用して前記複数の基地局のうちの少なくとも１つの基地局と通信するための手段と
を備える、装置。
【請求項２０】
前記通信構成は、チャネル状態情報（ＣＳＩ）電力オフセット構成、ＣＳＩサブフレームセット構成、コードブック制限、レートマッチング構成、疑似コロケーション（ＱＣＬ）インジケーション、またはこれらの任意の組み合わせを備える、請求項１９に記載の装置。
【請求項２１】
前記レートマッチング構成は、物理ダウンリンク共有チャネル（ＰＤＳＣＨ）送信のための開始シンボル、ＰＤＳＣＨ送信のための終了シンボル、マルチメディアブロードキャストマルチキャスト（ＭＢＭＳ）単一周波数ネットワーク（ＭＢＳＦＮ）インジケーション、セル固有の基準信号（ＣＲＳ）構成、１つまたは複数の非ゼロ電力ＣＳＩ基準信号（ＮＺＰ ＣＳＩ−ＲＳ）構成、またはこれらの任意の組み合わせを備える、請求項２０に記載の装置。
【請求項２２】
前記通信構成に少なくとも部分的に基づいて前記複数の基地局の各々に対するリソース割り振りを識別するための手段をさらに備え、前記通信することは、前記リソース割り振りに少なくとも部分的に基づく、請求項１９に記載の装置。
【請求項２３】
前記通信構成に少なくとも部分的に基づいて前記少なくとも１つの基地局のためのＣＳＩ−ＲＳポート構成を識別するための手段と、
前記少なくとも１つの基地局にＣＳＩレポートを送信するための手段と、ここにおいて、前記ＣＳＩレポートは、前記ＣＳＩ−ＲＳポート構成および前記複数の基地局に基づき、
をさらに備える、請求項１９に記載の装置。
【請求項２４】
前記ＣＳＩ−ＲＳポート構成は、ユーザ機器（ＵＥ）のための受信ポートの数および前記少なくとも１つの基地局のための送信ポートの数に少なくとも部分的に基づく、請求項２３に記載の装置。
【請求項２５】
前記通信構成に少なくとも部分的に基づいて前記少なくとも１つの基地局についての個々のＣＳＩレポートを生成するための手段と、ここにおいて、前記通信構成は、単一の基地局との通信に基づき、
前記個々のＣＳＩレポートを送信するための手段と
をさらに備える、請求項１９に記載の装置。
【請求項２６】
前記通信構成に少なくとも部分的に基づいて前記複数の基地局の各々についての組み合わされたＣＳＩレポートを生成するための手段と、ここにおいて、前記通信構成は、前記複数の基地局との通信に基づき、
前記複数の基地局の各々についての前記組み合わされたＣＳＩレポートを送信するための手段と
をさらに備える、請求項１９に記載の装置。
【請求項２７】
前記通信構成に少なくとも部分的に基づいて前記複数の基地局の各々のための特殊サブフレーム構成を識別するための手段をさらに備え、前記通信することは、前記特殊サブフレーム構成に少なくとも部分的に基づく、請求項１９に記載の装置。
【請求項２８】
前記特殊サブフレーム構成は、復調基準信号（ＤＭＲＳ）パターンを備え、前記通信することは、前記ＤＭＲＳパターンに少なくとも部分的に基づく、請求項２７に記載の装置。
【請求項２９】
前記通信構成は、アップリンク（ＵＬ）構成およびダウンリンク（ＤＬ）構成を備える、請求項１９に記載の装置。
【請求項３０】
ワイヤレス通信のための装置であって、
複数の基地局に関連付けられた通信構成のセットを送信するための手段と、ここにおいて、通信構成の前記セットのうちの少なくとも１つは、ＭＩＭＯレイヤ固有の通信またはコードワード固有の通信に基づき、
通信構成の前記セットから通信構成のインジケーションを送信するための手段と、
前記通信構成を使用してＵＥと通信するための手段と
を備える、装置。
【発明の詳細な説明】
【相互参照】
【０００１】
[0001]本特許出願は、２０１７年３月１６日に出願された「Enhanced Coordinated Multipoint Operation」と題する、Ｃｈｅｎ他による米国特許出願第１５／４６１，２９８号、および２０１６年３月１８日に出願された「Enhanced Coordinated Multipoint Operation」と題する、Ｃｈｅｎ他による米国仮特許出願第６２／３１０，３２２号に対する優先権を主張し、これらの各々は、本譲受人に譲渡される。
【背景技術】
【０００２】
[0002]以下は、一般に、ワイヤレス通信に関し、より具体的には、拡張多地点協調（ＣｏＭＰ）動作に関する。
【０００３】
[0003]ワイヤレス通信システムは、音声、ビデオ、パケットデータ、メッセージング、ブロードキャスト、等のような様々なタイプの通信コンテンツを提供するために広く展開されている。これらのシステムは、利用可能なシステムリソース（例えば、時間、周波数、および電力）を共有することによって、複数のユーザとの通信をサポートすることが可能であり得る。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。ワイヤレス多元接続通信システムは、いくつかの基地局を含み得、各々が、複数の通信デバイスのための通信を同時にサポートし、それらは各々、ユーザ機器（ＵＥ）と称され得る。
【０００４】
[0004]いくつかのケースでは、ＵＥは、ＣｏＭＰ動作を使用して１つより多くの基地局と通信し得る。しかしながら、いくつかのシステムでは、ジョイント送信ＣｏＭＰ動作は、各基地局からのコヒーレント送信に基づき得る。これは、理想のバックホール未満のバックホールを有する基地局には利用可能でない可能性があり、それは、ジョイント送信の有用性を制限し、全体的なシステムスループットを低下させる場合がある。
【発明の概要】
【０００５】
[0005]ユーザ機器（ＵＥ）は、複数の基地局と通信するために多入力多出力（ＭＩＭＯ）レイヤ固有の、およびコードワード固有の通信構成を使用し得る。例えば、複数の基地局は、ＵＥに多地点協調（ＣｏＭＰ）送信を提供するように構成され得る。基地局の１つまたは複数は、少なくとも１つのＭＩＭＯレイヤ固有の、またはコードワード固有の構成を含む通信構成のセットをＵＥに送信し得る。ＵＥは、その後、特定の時間期間の間にどの通信構成を使用すべきかの動的なインジケーションを受信し得る。ＵＥは、その後、特定の時間期間の間に、示された構成を使用して基地局のうちの１つまたは複数と通信し得る。
【０００６】
[0006]ワイヤレス通信の方法が説明される。方法は、複数の基地局に関連付けられた通信構成のセットを受信することと、ここにおいて、通信構成のセットのうちの少なくとも１つは、ＭＩＭＯレイヤ固有の構成またはコードワード固有の構成を備え、通信構成のセットから通信構成のインジケーションを受信することと、通信構成を使用して複数の基地局のうちの少なくとも１つの基地局と通信することとを含み得る。
【０００７】
[0007]ワイヤレス通信のための装置が説明される。装置は、複数の基地局に関連付けられた通信構成のセットを受信するための手段と、ここにおいて、通信構成のセットのうちの少なくとも１つは、ＭＩＭＯレイヤ固有の構成またはコードワード固有の構成を備え、通信構成のセットから通信構成のインジケーションを受信するための手段と、通信構成を使用して複数の基地局のうちの少なくとも１つの基地局と通信するための手段とを含み得る。
【０００８】
[0008]別の装置が説明される。装置は、プロセッサと、プロセッサと電子通信状態にあるメモリと、メモリに記憶された命令とを含み得る。命令は、複数の基地局に関連付けられた通信構成のセットを受信することと、ここにおいて、通信構成のセットのうちの少なくとも１つは、ＭＩＭＯレイヤ固有の構成またはコードワード固有の構成を備え、通信構成のセットから通信構成のインジケーションを受信することと、通信構成を使用して複数の基地局のうちの少なくとも１つの基地局と通信することとをプロセッサに行わせるように動作可能であり得る。
【０００９】
[0009]ワイヤレス通信のための非一時的なコンピュータ可読媒体が説明される。非一時的なコンピュータ可読媒体は、基地局のセットに関連付けられた通信構成のセットを受信することと、ここで、通信構成のセットのうちの少なくとも１つは、ＭＩＭＯレイヤ固有の構成またはコードワード固有の構成を備え、通信構成のセットから通信構成のインジケーションを受信することと、通信構成を使用して基地局のセットのうちの少なくとも１つの基地局と通信することとをプロセッサに行わせるための命令を含み得る。
【００１０】
[0010]上記で説明された方法、装置、または非一時的なコンピュータ可読媒体のいくつかの例では、通信構成は、チャネル状態情報（ＣＳＩ）電力オフセット構成、ＣＳＩサブフレームセット構成、コードブック制限、レートマッチング構成、疑似コロケーション（ＱＣＬ）インジケーション、またはこれらの任意の組み合わせを備える。
【００１１】
[0011]上記で説明された方法、装置、または非一時的なコンピュータ可読媒体のいくつかの例では、レートマッチング構成は、物理ダウンリンク共有チャネル（ＰＤＳＣＨ）送信のための開始シンボル、ＰＤＳＣＨ送信のための終了シンボル、マルチメディアブロードキャストマルチキャスト（ＭＢＭＳ）単一周波数ネットワーク（ＭＢＳＦＮ）インジケーション、セル固有基準信号（ＣＲＳ）構成、１つまたは複数の非ゼロ電力ＣＳＩ基準信号（ＮＺＰ ＣＳＩ−ＲＳ）構成、またはこれらの任意の組み合わせを備える。
【００１２】
[0012]上記で説明された方法、装置、または非一時的なコンピュータ可読媒体のいくつかの例は、通信構成に基づいて基地局のセットの各々に対するリソース割り振りを識別するためのプロセス、特徴、手段、または命令をさらに含み得、ここで、通信することは、リソース割り振りに基づく。
【００１３】
[0013]上記で説明された方法、装置、または非一時的なコンピュータ可読媒体のいくつかの例は、通信構成に基づいて少なくとも１つの基地局のためのＣＳＩ−ＲＳポート構成を識別するためのプロセス、特徴、手段、または命令をさらに含み得る。上記で説明された方法、装置、または非一時的なコンピュータ可読媒体のいくつかの例は、少なくとも１つの基地局にＣＳＩレポートを送信するためのプロセス、特徴、手段、または命令をさらに含み得、ここで、ＣＳＩレポートは、ＣＳＩ−ＲＳポート構成および基地局のセットに基づく。
【００１４】
[0014]上記で説明された方法、装置、または非一時的なコンピュータ可読媒体のいくつかの例では、ＣＳＩ−ＲＳポート構成は、ＵＥのための受信ポートの数および少なくとも１つの基地局のための送信ポートの数に基づく。上記で説明された方法、装置、または非一時的なコンピュータ可読媒体のいくつかの例は、通信構成に基づいて少なくとも１つの基地局についての個々のＣＳＩレポート生成するためのプロセス、特徴、手段、または命令をさらに含み得、ここで、通信構成は、単一の基地局との通信に基づく。上記で説明された方法、装置、または非一時的なコンピュータ可読媒体のいくつかの例は、個々のＣＳＩレポートを送信するためのプロセス、特徴、手段、または命令をさらに含み得る。
【００１５】
[0015]上記で説明された方法、装置、または非一時的なコンピュータ可読媒体のいくつかの例は、通信構成に基づいて基地局のセットの各々についての組み合わされたＣＳＩレポートを生成するためのプロセス、特徴、手段、または命令をさらに含み得、ここで、通信構成は、基地局のセットとの通信に基づく。上記で説明された方法、装置、または非一時的なコンピュータ可読媒体のいくつかの例は、基地局のセットの各々についての組み合わされたＣＳＩレポートを送信するためのプロセス、特徴、手段、または命令をさらに含み得る。
【００１６】
[0016]上記で説明された方法、装置、または非一時的なコンピュータ可読媒体のいくつかの例は、通信構成に基づいてセット基地局の各々のための特殊サブフレーム構成を識別するためのプロセス、特徴、手段、または命令をさらに含み得、ここで、通信することは、特殊サブフレーム構成に基づく。
【００１７】
[0017]上記で説明された方法、装置、または非一時的なコンピュータ可読媒体のいくつかの例では、特殊サブフレーム構成は、復調基準信号（ＤＭＲＳ）パターンを備え、ここで、通信することは、ＤＭＲＳパターンに基づく。上記で説明された方法、装置、または非一時的なコンピュータ可読媒体のいくつかの例では、通信構成は、アップリンク（ＵＬ）構成およびダウンリンク（ＤＬ）構成を備える。
【００１８】
[0018]上記で説明された方法、装置、または非一時的なコンピュータ可読媒体のいくつかの例では、通信構成は、拡張物理ダウンリンク制御チャネル（ｅＰＤＣＣＨ）構成を備え、ここで、通信することは、ｅＰＤＣＣＨ構成に基づく。上記で説明された方法、装置、または非一時的なコンピュータ可読媒体のいくつかの例では、ｅＰＤＣＣＨ構成は、ＭＩＭＯレイヤ固有の構成またはコードワード固有の構成に関連付けられた１つまたは複数のｅＰＤＣＣＨリソースセットを備える。
【００１９】
[0019]上記で説明された方法、装置、または非一時的なコンピュータ可読媒体のいくつかの例では、基地局のセットは、協調ビームフォーミング（ＣＢＦ）モード、動的ポイント選択（ＤＰＳ：dynamic point selection）モード、またはジョイント送信（ＪＴ：joint transmission）モードを備えるＣｏＭＰ構成にしたがって協調され、ここで、通信することは、ＣｏＭＰ構成に基づく。
【００２０】
[0020]ワイヤレス通信の方法が説明される。方法は、複数の基地局に関連付けられた通信構成のセットを送信することと、ここにおいて、通信構成のセットのうちの少なくとも１つは、ＭＩＭＯレイヤ固有の通信またはコードワード固有の通信に基づき、通信構成のセットから通信構成のインジケーションを送信することと、通信構成を使用してＵＥと通信することとを含み得る。
【００２１】
[0021]ワイヤレス通信のための装置が説明される。装置は、複数の基地局に関連付けられた通信構成のセットを送信するための手段と、ここにおいて、通信構成のセットのうちの少なくとも１つは、ＭＩＭＯレイヤ固有の通信またはコードワード固有の通信に基づき、通信構成のセットから通信構成のインジケーションを送信するための手段と、通信構成を使用してＵＥと通信するための手段とを含み得る。
【００２２】
[0022]別の装置が説明される。装置は、プロセッサと、プロセッサと電子通信状態にあるメモリと、メモリに記憶された命令とを含み得る。命令は、複数の基地局に関連付けられた通信構成のセットを送信することと、ここにおいて、通信構成のセットのうちの少なくとも１つは、ＭＩＭＯレイヤ固有の通信またはコードワード固有の通信に基づき、通信構成のセットから通信構成のインジケーションを送信することと、通信構成を使用してＵＥと通信することとをプロセッサに行わせるように動作可能であり得る。
【００２３】
[0023]ワイヤレス通信のための非一時的なコンピュータ可読媒体が説明される。非一時的なコンピュータ可読媒体は、基地局のセットに関連付けられた通信構成のセットを送信することと、ここで、通信構成のセットのうちの少なくとも１つは、ＭＩＭＯレイヤ固有の通信またはコードワード固有の通信に基づき、通信構成のセットから通信構成のインジケーションを送信することと、通信構成を使用してＵＥと通信することとをプロセッサに行わせる命令を含み得る。
【００２４】
[0024]上記で説明された方法、装置、または非一時的なコンピュータ可読媒体のいくつかの例では、通信構成は、ＣＳＩ電力オフセット構成、ＣＳＩサブフレームセット構成、コードブック制限、レートマッチング構成、ＱＣＬインジケーション、またはこれらの任意の組み合わせを備える。
【００２５】
[0025]上記で説明された方法、装置、または非一時的なコンピュータ可読媒体のいくつかの例では、レートマッチング構成は、ＰＤＳＣＨ送信のための開始シンボル、ＰＤＳＣＨ送信のための終了シンボル、ＭＢＳＦＮインジケーション、ＣＲＳ構成、１つまたは複数のＮＺＰ ＣＳＩ−ＲＳ構成、またはこれらの任意の組み合わせを備える。
【００２６】
[0026]上記で説明された方法、装置、または非一時的なコンピュータ可読媒体のいくつかの例は、通信構成に基づいて基地局のセットの各々に対するリソース割り振りを識別するためのプロセス、特徴、手段、または命令をさらに含み得、ここで、通信することは、リソース割り振りに基づく。上記で説明された方法、装置、または非一時的なコンピュータ可読媒体のいくつかの例は、通信構成に基づいてＣＳＩ−ＲＳポート構成を識別するためのプロセス、特徴、手段、または命令をさらに含み得る。上記で説明された方法、装置、または非一時的なコンピュータ可読媒体のいくつかの例は、ＣＳＩ−ＲＳポート構成および基地局のセットに基づいてＣＳＩレポートを受信するためのプロセス、特徴、手段、または命令をさらに含み得る。
【００２７】
[0027]上記で説明された方法、装置、または非一時的なコンピュータ可読媒体のいくつかの例では、ＣＳＩ−ＲＳポート構成は、ＵＥのための受信ポートの数および送信ポートの数に基づく。上記で説明された方法、装置、または非一時的なコンピュータ可読媒体のいくつかの例は、通信構成に基づいて個々のＣＳＩレポートを受信するためのプロセス、特徴、手段、または命令をさらに含み得、ここで、通信構成は、ＵＥと単一の基地局との間の通信に基づく。
【００２８】
[0028]上記で説明された方法、装置、または非一時的なコンピュータ可読媒体のいくつかの例は、通信構成に基づいて組み合わされたＣＳＩレポートを受信するためのプロセス、特徴、手段、または命令をさらに含み得、ここで、通信構成は、基地局のセットとの通信に基づく。上記で説明された方法、装置、または非一時的なコンピュータ可読媒体のいくつかの例は、通信構成に基づいて特殊サブフレーム構成を識別するためのプロセス、特徴、手段、または命令をさらに含み得、ここで、通信することは、特殊サブフレーム構成に基づく。
【００２９】
[0029]上記で説明された方法、装置、または非一時的なコンピュータ可読媒体のいくつかの例では、特殊サブフレーム構成は、ＤＭＲＳパターンを備え、ここで、通信することは、ＤＭＲＳ構成に基づく。上記で説明された方法、装置、または非一時的なコンピュータ可読媒体のいくつかの例では、通信構成は、ＵＬ構成およびＤＬ構成を備える。
【００３０】
[0030]上記で説明された方法、装置、または非一時的なコンピュータ可読媒体のいくつかの例では、通信構成は、ｅＰＤＣＣＨ構成を備え、ここで、通信することは、ｅＰＤＣＣＨ構成に基づく。上記で説明された方法、装置、または非一時的なコンピュータ可読媒体のいくつかの例では、基地局のセットは、ＣＢＦモード、ＤＰＳモード、またはＪＴモードを備えるＣｏＭＰ構成にしたがって協調され、ここで、通信することは、ＣｏＭＰ構成に基づく。
【図面の簡単な説明】
【００３１】
【図１】[0031]図１は、本開示の態様にしたがった、拡張多地点協調（ＣｏＭＰ）動作をサポートするワイヤレス通信システムの例を例示する。
【図２】[0032]図２は、本開示の態様にしたがった、拡張ＣｏＭＰ動作をサポートするワイヤレス通信システムの例を例示する。
【図３】図３は、本開示の態様にしたがった、拡張ＣｏＭＰ動作をサポートするワイヤレス通信システムの例を例示する。
【図４】[0033]図４は、本開示の態様にしたがった、拡張ＣｏＭＰ動作をサポートするシステムにおけるプロセスフローの例を例示する。
【図５】[0034]図５は、本開示の態様にしたがった、拡張ＣｏＭＰ動作をサポートするワイヤレスデバイスのブロック図を示す。
【図６】図６は、本開示の態様にしたがった、拡張ＣｏＭＰ動作をサポートするワイヤレスデバイスのブロック図を示す。
【図７】図７は、本開示の態様にしたがった、拡張ＣｏＭＰ動作をサポートするワイヤレスデバイスのブロック図を示す。
【図８】[0035]図８は、本開示の態様にしたがった、拡張ＣｏＭＰ動作をサポートするＵＥを含むシステムのブロック図を例示する。
【図９】[0036]図９は、本開示の態様にしたがった、拡張ＣｏＭＰ動作をサポートするワイヤレスデバイスのブロック図を示す。
【図１０】図１０は、本開示の態様にしたがった、拡張ＣｏＭＰ動作をサポートするワイヤレスデバイスのブロック図を示す。
【図１１】図１１は、本開示の態様にしたがった、拡張ＣｏＭＰ動作をサポートするワイヤレスデバイスのブロック図を示す。
【図１２】[0037]図１２は、本開示の態様にしたがった、拡張ＣｏＭＰ動作をサポートする基地局を含むシステムのブロック図を例示する。
【図１３】[0038]図１３は、本開示の態様にしたがった、拡張ＣｏＭＰ動作のための方法を例示する。
【図１４】図１４は、本開示の態様にしたがった、拡張ＣｏＭＰ動作のための方法を例示する。
【図１５】図１５は、本開示の態様にしたがった、拡張ＣｏＭＰ動作のための方法を例示する。
【図１６】図１６は、本開示の態様にしたがった、拡張ＣｏＭＰ動作のための方法を例示する。
【図１７】図１７は、本開示の態様にしたがった、拡張ＣｏＭＰ動作のための方法を例示する。
【図１８】図１８は、本開示の態様にしたがった、拡張ＣｏＭＰ動作のための方法を例示する。
【図１９】図１９は、本開示の態様にしたがった、拡張ＣｏＭＰ動作のための方法を例示する。
【詳細な説明】
【００３２】
[0039]いくつかのワイヤレス通信システムは、２つ以上の基地局がユーザ機器（ＵＥ）にデータを送信し得る多地点協調（ＣｏＭＰ）送信を使用し得る。そのようなＣｏＭＰ送信は、異なる基地局が異なる時間にＵＥにデータを送信する動的ポイント選択（ＤＰＳ）、２つ以上の基地局がＵＥにデータを同時に送信するジョイント送信（ＪＴ）、および２つ以上の基地局間および／または隣接セルにおけるノードとの干渉を低減する信号送信を２つ以上の基地局が協調する協調ビームフォーミング（ＣＢＦ）を含む、いくつかのＣｏＭＰスキームを使用し得る。
【００３３】
[0040]ＣｏＭＰ送信を使用して通信するとき、基地局およびＵＥは、多入力多出力（ＭＩＭＯ）技法を使用し得、ここで、複数の送信および受信アンテナが、それぞれ、信号を送るため、および受信するために使用される。例えば、ＵＥは、ＭＩＭＯ通信レイヤの異なるセットを使用して異なる基地局と通信し得る。いくつかのケースでは、各基地局は、異なるレイヤ、すなわちレイヤ固有の通信構成を使用してＵＥと通信し、他のケースでは、各基地局は、コードワード（またはトランスポートブロック）を送信するために複数のレイヤ、すなわちコードワード固有の（またはトランスポートブロック固有の）通信構成を利用し得る。
【００３４】
[0041]よって、レイヤ固有の構成は、異なる基地局または送信ポイント（ＴＰ）からＵＥに異なるレイヤを送信することを含み得、ここで、基地局の数は、送信されたレイヤの数に対応する（例えば、８個のレイヤに対して８個の基地局であり、ここで、各基地局は１つのレイヤを送信する）。コードワード固有の構成は、複数の基地局からのすべての送信に対して所定の数のコードワード（例えば、２つのコードワード）を利用し得る。すなわち、コードワード固有の構成は、複数の基地局を２つのコードワードの送信に組み込み得る。いくつかのケースでは、各基地局が一度に単一のコードワードを通信し、いくつかのケースでは、複数のＴＰが単一のコードワードを共同で（jointly）送信し得る。
【００３５】
[0042]いくつかのケースでは、様々な通信構成がレイヤごとの、またはコードワードごとのベースで動的に示され得る（on a per-layer or per-codeword basis）。これら通信構成は、チャネル状態情報（ＣＳＩ）電力オフセット構成、ＣＳＩサブフレームセット構成、コードブックサブセット制限、レートマッチング構成、および疑似コロケーション（ＱＣＬ）インジケーションのうちの１つまたは複数を含み得る。これら通信構成のインジケーションは、ＵＥが、レイヤまたはコードワード固有のものでもあるチャネルフィードバック動作を実行することを可能にし得る。いくつかのケースでは、ＵＥは、レイヤまたはコードワード固有の構成にしたがって各基地局から受信された信号の品質に関するＣＳＩを基地局に報告し得る。
【００３６】
[0043]本開示の態様は、ワイヤレス通信システムのコンテキストにおいて、最初に説明される。その後、コードワード固有の、およびレイヤ固有のＣｏＭＰ送信をサポートするワイヤレス通信システムについての更なる例が提供される。本開示の態様は、拡張ＣｏＭＰ動作に関連する装置図、システム図、およびフローチャートによってさらに例示され、それらを参照して説明される。
【００３７】
[0044]図１は、本開示の様々な態様にしたがって、ワイヤレス通信システム１００の例を例示する。ワイヤレス通信システム１００は、基地局１０５、ＵＥ １１５、およびコアネットワーク１３０を含む。いくつかの例では、ワイヤレス通信システム１００は、ロングタームエボリューション（ＬＴＥ（登録商標））／ＬＴＥ−アドバンスト（ＬＴＥ−Ａ）ネットワークであり得る。ワイヤレス通信システム１００は、ＭＩＭＯレイヤ固有の、およびコードワード固有の構成を使用する効率的なＣｏＭＰ送信を可能にし得る。
【００３８】
[0045]基地局１０５は、１つまたは複数の基地局アンテナを介してＵＥ１１５とワイヤレスに通信し得る。各基地局１０５は、それぞれの地理的カバレッジエリア１１０に対して通信カバレッジを提供し得る。ワイヤレス通信システム１００において示される通信リンク１２５は、ＵＥ １１５から基地局１０５へのＵＬ送信、または基地局１０５からＵＥ １１５へのＤＬ送信を含み得る。ＵＥ １１５は、ワイヤレス通信システム１００全体にわたって分散され得、各ＵＥ １１５は、固定またはモバイルであり得る。ＵＥ１１５はまた、モバイル局、加入者局、遠隔ユニット、ワイヤレスデバイス、アクセス端末（ＡＴ）、ハンドセット、ユーザエージェント、クライアント、または同様の専門用語で呼ばれ得る。ＵＥ１１５はまた、セルラ電話、ワイヤレスモデム、ハンドヘルドデバイス、パーソナルコンピュータ、タブレット、パーソナル電子デバイス、マシンタイプ通信（ＭＴＣ）デバイス、等であり得る。
【００３９】
[0046]基地局１０５は、コアネットワーク１３０と、および互いに通信し得る。例えば、基地局１０５は、バックホールリンク１３２（例えば、Ｓ１、等）を通してコアネットワーク１３０とインターフェースし得る。基地局１０５は、（例えば、コアネットワーク１３０を通して）直接的にまたは間接的に、のいずれかで、バックホールリンク１３４（例えば、Ｘ２、等）を介して互いに通信し得る。基地局１０５は、ＵＥ１１５との通信のために無線構成およびスケジューリングを実行し得る、または基地局コントローラ（図示せず）の制御下で動作し得る。いくつかの例では、基地局１０５は、マクロセル、スモールセル、ホットスポット、または同様のものであり得る。基地局１０５はまた、ｅノードＢ（ｅＮＢ）１０５と呼ばれ得る。
【００４０】
[0047]ワイヤレス通信システム１００は、２つ以上のＴＰがＵＥ１１５にデータを送信し得るＣｏＭＰ送信を用い得る。ＴＰは、基地局１０５またはワイヤレスノードと称されることもあり、用語は、交換可能に使用され得る。そのようなＣｏＭＰ送信は、異なる基地局が異なる時間にＵＥ１１５にデータを送信するＤＰＳ、２つ以上の基地局がＵＥ１１５にデータを同時に送信するＪＴ、および２つ以上の基地局間および／または隣接セルにおけるノードとの干渉を低減する信号送信を２つ以上の基地局が協調するＣＢＦを含む、１つまたは複数のＣｏＭＰスキームを使用し得る。ＣｏＭＰは、ネットワークおよびスペクトル利用を増大させることに加え、ＵＥ１１５についての全体的な送信品質を改善するための、いくつかの基地局１０５による送信および受信の動的協調のための技法を含む。
【００４１】
[0048]基地局１０５およびＵＥ１１５は、多入力多出力（ＭＩＭＯ）技法を使用し得、ここで、複数の送信および受信アンテナが、それぞれ、信号を送るため、および受信するために使用される。ＭＩＭＯ技法は、複数のデータストリームを送信するためにマルチパス環境を利用するように、基地局１０５上で複数のアンテナを、またはＵＥ１１５上で複数のアンテナを使用する。ＵＥ１１５は、各アンテナで受信された信号の品質に関するチャネル情報（例えば、チャネル状態情報（ＣＳＩ））を基地局に報告し得る。その結果、基地局１０５は、使用されるアンテナの数に関連付けられたアンテナ構成に基づくランクインジケータ（ＲＩ）を使用し得る。
【００４２】
[0049]信号を送信するとき、基地局１０５は、コードワードのビットシーケンスを変調シンボルに変換し、変調シンボルを１つまたは複数のレイヤに割り当て得る。送信レイヤの数は、基地局１０５とＵＥ１１５との間の通信に使用されるアンテナの数に関連付けられ得る。例えば、レイヤの数は、アンテナの数よりも少ないかまたはそれに等しいものであり得、ＭＩＭＯ構成は、少なくとも２つのレイヤを使用し得る。本明細書で説明される技法はコードワードの使用および送信を参照するが、コードワードは、トランスポートブロック（ＴＢ）と称されることもあり得、用語は交換可能であり得る。
【００４３】
[0050]いくつかのケースでは、ＭＩＭＯ送信は、レイヤの数に関連付けられた指定された数のコードワードを使用し得る。例えば、２つのコードワードが、ランク８送信のような、最大８個のレイヤの送信に使用され得る。そのようなケースでは、ランク８送信における各コードワードは、４つのレイヤを含み得る。各コードワードは、異なる変調およびコーディングスキーム（ＭＣＳ）、新しいデータインジケータ（ＮＤＩ）、および冗長バージョン（ＲＶ）を有し得るが、同じコードワードに対応する異なるレイヤは、同じＭＣＳ、ＮＤＩ、および／またはＲＶを有し得る。同様に、ハイブリッド自動再送要求（ＨＡＲＱ）フィードバックはまた、レイヤごとのベースとは対照的に、コードワードごとのベースで送信され得る。
【００４４】
[0051]いくつかのケースでは、ワイヤレス通信システム１００は、１つまたは複数の拡張コンポーネントキャリア（ｅＣＣ）を利用し得る。ｅＣＣは、柔軟な帯域幅、異なる送信時間間隔（ＴＴＩ）、および修正された制御チャネル構成を含む１つまたは複数の特徴によって特徴付けられ得る。いくつかのケースでは、ｅＣＣは、（例えば、複数のサービングセルが準最適の（suboptimal）バックホールリンクを有するとき）デュアルコネクティビティ構成またはキャリアアグリゲーション（ＣＡ）構成に関連付けられ得る。ｅＣＣはまた、（例えば、１より多くのオペレータがスペクトルを使用することをライセンスされている）共有スペクトルまたはアンライセンススペクトルにおける使用のために構成され得る。
【００４５】
[0052]柔軟な帯域幅によって特徴付けられるeＣＣは、（例えば、電力を節約するために）制限された帯域幅を使用することを好むか、または帯域幅全体をモニタすることが可能でないＵＥ１１５によって利用され得る１つまたは複数のセグメントを含み得る。いくつかのケースでは、eＣＣは、他のコンポーネントキャリア（ＣＣ）とは異なるＴＴＩ長を利用し得、それは、他のＣＣのＴＴＩと比較して、低減されたまたは可変のシンボル持続時間の使用を含み得る。シンボル持続時間は、いくつかのケースでは、同じままであり得るが、各シンボルは、別個のＴＴＩを表し得る。いくつかの例では、ｅＣＣは、異なるＴＴＩ長を使用する送信をサポートし得る。例えば、いくつかのＣＣが均一な１ミリセカンド（ｍｓ）のＴＴＩを使用し得るのに対して、ｅＣＣは、単一のシンボル、一対のシンボル、またはスロットのＴＴＩ長を使用し得る。いくつかのケースでは、より短いシンボル持続時間がまた、増大されたサブキャリア間隔に関連付けられ得る。低減されたＴＴＩ長と併せて、ｅＣＣは、動的時間分割複信（ＴＤＤ）動作を利用し得る（すなわち、それは、動的条件にしたがって、短いバーストのためにＤＬ動作からＵＬ動作に切り替わり得る）。
【００４６】
[0053]柔軟な帯域幅および可変のＴＴＩは、修正された制御チャネル構成に関連付けられ得る（例えば、ｅＣＣは、ＤＬ制御情報のためにｅＰＤＣＣＨを利用し得る）。例えば、ｅＣＣの１つまたは複数の制御チャネルは、柔軟な帯域幅使用に対応する（accommodate）ために、周波数分割多重化（ＦＤＭ）スケジューリングを利用し得る。他の制御チャネルの修正は、異なる間隔で送信される制御チャネル、または（例えば、可変長のＵＬおよびＤＬバーストの長さを示すための、または発展型マルチメディアブロードキャストマルチキャストサービス（ｅＭＢＭＳ）スケジューリングのための）追加の制御チャネルの使用を含む。ｅＣＣはまた、修正されたまたは追加のハイブリッド自動再送要求（ＨＡＲＱ）関連制御情報を含み得る。
【００４７】
[0054]いくつかのケースでは、基地局アンテナは、１つまたは複数のアンテナアレイ内に配置され得る。１つまたは複数の基地局アンテナまたはアンテナアレイは、アンテナタワーのような、アンテナアセンブリにおいてコロケートされ得る。いくつかのケースでは、基地局１０５に関連付けられたアンテナまたはアンテナアレイは、多様な地理的ロケーションに配置され得る。基地局１０５は、ＵＥ１１５との指向性通信のためのビームフォーミング動作を行うために複数のアンテナまたはアンテナアレイを使用し得る。
【００４８】
[0055]本明細書で説明されるように、ＵＥ１１５は、少なくとも１つの基地局１０５と通信するためにＭＩＭＯレイヤ固有の、およびコードワード固有の通信構成を使用し得る。例えば、複数の基地局１０５は、ＵＥ１１５にＣｏＭＰ送信を提供するように構成され得る。基地局１０５は、少なくとも１つのＭＩＭＯレイヤ固有の、またはコードワード固有の構成を含む通信構成のセットをＵＥ１１５に送信し得る。ＵＥ１１５はまた、ＭＩＭＯレイヤ固有の、またはコードワード固有のチャネル動作を実行するために使用され得る少なくとも１つの通信構成のインジケーションを受信し得る。ＵＥ１１５は、その後、通信構成を使用して基地局１０５と通信し得る。
【００４９】
[0056]図２は、拡張ＣｏＭＰ動作のためのワイヤレス通信システム２００の例を例示する。ワイヤレス通信システム２００は、１つまたは複数の基地局２０５（例えば、基地局２０５−ａおよび基地局２０５−ｂ）およびＵＥ２１５を含み得、それらは、それぞれ、図１を参照して説明された基地局１０５およびＵＥ１１５の例であり得る。いくつかのケースでは、基地局２０５−ａおよび基地局２０５−ｂは、それぞれ、地理的カバレッジエリア２１０−ａおよび２１０−ｂに通信カバレッジを提供し得る。例示されるように、いくつかのケースでは、地理的カバレッジエリア２１０−ａおよび２１０−ｂは、部分的にオーバーラップし得る。ワイヤレス通信システム２００は、各基地局が１つまたは複数のＭＩＭＯレイヤに関連付けられるＭＩＭＯレイヤ固有のＣｏＭＰ送信の例を例示し得る。
【００５０】
[0057]ワイヤレス通信システム２００は、ＭＩＭＯレイヤ固有の構成を含む通信構成を使用し得る。すなわち、ＵＥ２１５は、ＭＩＭＯレイヤ固有の構成を含む通信構成のセットを受信し得る。ＭＩＭＯレイヤ固有の構成は、基地局２０５−ａおよび基地局２０５−ｂのような、異なるＴＰまたは基地局からレイヤ２２０の異なるセットを送信することを含み得る。例えば、基地局２０５−ａは、ＵＥ２１５にレイヤ２２０−ａの第１のセットを送信し得、基地局２０５−ｂは、ＵＥ２１５にレイヤ２２０−ｂの第２のセットを送信し得る。レイヤ２２０−ａの第１のセットおよびレイヤ２２０−ｂの第２のセットは、上記で説明されたＣｏＭＰ技法にしたがってＵＥ２１５への完全送信（complete transmission）を備え得る。
【００５１】
[0058]レイヤ２２０のセットにおける各レイヤは、１つの基地局１０５からのものであり得る。いくつかのケースでは、レイヤ２２０−ａの第１のセットは、使用されたアンテナの数に基づいて最大４つの異なるレイヤを含み得、ここで、レイヤ２２０−ｂの第２のセットは、同様に最大４つのレイヤを含み得る。レイヤ２２０−ａの第１のセットまたはレイヤ２２０−ｂの第２のセット内のレイヤの数は、ＵＥ２１５と通信するために、基地局２０５−ａまたは基地局２０５−ｂによって使用されるアンテナの数に関連づけられた構成に依存し得る。いくつかのケースでは、レイヤ２２０のセットを送信するために使用される基地局２０５の数は、ＭＩＭＯレイヤ固有の構成に基づき得、送信されるレイヤの数に対応し得る（例えば、８個の基地局２０５が、８個のレイヤ２２０を送信し得、ここで、各基地局２０５は、１つのレイヤ２２０を送信する）。いくつかの例では、レイヤ固有のＭＣＳ、ＮＤＩ、ＲＶ、またはＨＡＲＱフィードバックが使用され得る。例えば、ＵＥ２１５は、レイヤ２２０のセットに含まれる各レイヤにＨＡＲＱフィードバックを提供し得る。
【００５２】
[0059]ＵＥ２１５は、通信構成に基づいて受信される信号の品質に関するＣＳＩフィードバックを基地局２０５−ａおよび基地局２０５−ｂに報告し得る。図３を参照して説明されるように、ＭＩＭＯレイヤ固有の構成およびコードワード固有の構成は、各レイヤまたはコードワードについての様々な通信構成をＵＥ２１５に示すために使用され得る。
【００５３】
[0060]図３は、拡張ＣｏＭＰ動作のためのワイヤレス通信システム３００の例を例示する。ワイヤレス通信システム３００は、１つまたは複数の基地局３０５（例えば、基地局３０５−ａおよび基地局３０５−ｂ）およびＵＥ３１５を含み得、それらは、図１および２を参照して説明された基地局１０５およびＵＥ１１５の例であり得る。いくつかのケースでは、基地局３０５−ａおよび基地局３０５−ｂは、それぞれ、地理的カバレッジエリア３１０−ａおよび３１０−ｂに通信カバレッジを提供し得る。例示されるように、いくつかのケースでは、地理的カバレッジエリア３１０−ａおよび３１０−ｂは、部分的にオーバーラップし得る。ワイヤレス通信システム３００は、コードワード固有のＣｏＭＰ送信の例を例示し得る。
【００５４】
[0061]ワイヤレス通信システム３００は、コードワード固有の構成を含む通信構成を使用し得る。コードワード固有の構成は、複数の基地局３０５（例えば、基地局３０５−ａおよび基地局３０５−ｂ）からのすべての送信に対して設定された数のコードワード３１５（例えば、２つのコードワード）を利用し得る。すなわち、コードワード固有の構成は、複数の基地局１０５を２つのコードワード３１５の送信に組み込み得る。例えば、基地局３０５−ａは、第１のコードワード３２０−ａを送信し得、基地局３０５−ｂは、第２のコードワード３２０−ｂを送信し得る。コードワード３２０−ａおよびコードワード３２０−ｂは、変調されたシンボルの複数のレイヤを含み得る。
【００５５】
[0062]いくつかのケースでは、複数の基地局３０５は、ＵＥ３１５には単一の基地局として現れ得る。例えば、基地局３０５−ａは、第１のコードワード３２０−ａを送信し得、別のコードワード３１５（図示せず）は、２つの基地局３０５の組み合わせによって送信され得る。コードワード固有の方法の使用を通じて、ＭＣＳ、ＮＤＩ、ＲＶ、およびＨＡＲＱプロセスは、コードワード固有の構成を使用しないシステムと相違しない可能性がある。いくつかのケースでは、ＭＩＭＯレイヤ固有の構成およびコードワード固有の構成の使用が組み合わされ得る。
【００５６】
[0063]いくつかのケースでは、様々な通信構成がレイヤごとの、またはコードワードごとのベースで動的に示され得る。これら通信構成は、ＣＳＩ電力オフセット構成、ＣＳＩサブフレームセット構成、コードブックサブセット制限、レートマッチング構成、疑似コロケーション（ＱＣＬ）インジケーションのうちの１つまたは複数を含み得る。これら通信構成のインジケーションは、ＵＥ３１５が、レイヤまたはコードワード固有のものでもある動作を実行することを可能にし得る。例えば、ＣＳＩ電力オフセットパラメータは、ＣＳＩを計算するためにＵＥ３１５が使用する物理ダウンリンク共有チャネル（ＰＤＳＣＨ）とＣＳＩ基準信号（ＣＳＩ−ＲＳ）との間の電力の量を示す比率を、ＵＥ３１５に提供し得る。いくつかのケースでは、このパラメータがコードワードまたはレイヤに関連付けられるとき、ＵＥ３１５は、ＣＳＩが基地局３０５に送信されたときに異なるコードワードまたはレイヤに対して異なる電力オフセット値を使用し得る。同様に、レイヤごとの、およびコードワードごとのコードブック制限は、ＣＳＩフィードバックを提供するときにＵＥ３１５が仮定し得るプリコーディングマトリックスインジケータのランクの制限されたサブセットをＵＥ３１５に示し得、ここで、仮定は、幅広い、可能性のあるランクおよびＰＭＩを仮定するのではなく、レイヤごとの、またはコードワードごとの仮定であり得る。
【００５７】
[0064]ＣＳＩサブフレームセット構成は、ＵＥ３１５に２つ以上のサブフレームセットを提供し得、ここで、各セットは、その間にＵＥ３１５がＣＳＩ測定および／または報告を実行し得るサブフレームのサブセットを示し得る。いくつかのケースでは、ＣＳＩサブフレームセット構成がＭＩＭＯレイヤ固有の構成またはレイヤ固有の構成に関連付けられるとき、ＵＥ３１５は、異なるレイヤまたはコードワードに対して異なるサブフレームセット構成を使用し得る。
【００５８】
[0065]ＭＩＭＯレイヤ固有の、またはコードワード固有のレートマッチング構成は、基地局３０５−ａおよび基地局３０５−ｂから受信された信号に関する情報をＵＥ３１５に提供し得、ここで、レートマッチング構成は、ＰＤＳＣＨ送信のための開始シンボル、マルチメディアブロードキャストマルチキャストサービス（ＭＢＭＳ）単一周波数ネットワーク（ＭＢＳＦＮ）インジケーション、ＣＲＳポートまたはＣＲＳシフトの構成、１つまたは複数の非ゼロ電力（ＮＺＰ）ＣＳＩ−ＲＳ構成、またはＰＤＳＣＨのための終了シンボルを含み得る。例えば、ＰＤＳＣＨのための開始シンボルは、ＭＩＭＯ送信のために示され得、ここで、第１のレイヤは、第１の開始シンボルを含み得、第２のレイヤは第２の開始シンボルを有する。あるいは、インジケーションは、第１のコードワードが第１のレイヤ上の開始シンボルを有し、第２のコードワードが第２のレイヤ上の開始シンボルを有するという情報を提供し得る。別の例では、レイヤごとのインジケーションは、異なるレイヤまたは異なるコードワードに対する異なるＭＢＳＦＮ構成を可能にし得る。
【００５９】
[0066]いくつかの例では、ＵＥ３１５は、少なくとも１つのＮＺＰ ＣＳＩ−ＲＳ構成が使用されるとき、２つ以上のＮＺＰ ＣＳＩ−ＲＳ構成に関連付けられた１つのＣＳＩプロセスを使用し得る。加えて、ＰＤＳＣＨのための終了シンボルのインジケーションは、レイヤごとの、またはコーワードごとのベースでＵＥ３１５に提供され得る。すなわち、インジケーションは、ＵＥ３１５が、どのシンボルが所定の送信のための最後のシンボルであるかを示すことを可能にし得る。いくつかのケースでは、終了ＰＤＳＣＨシンボルのインジケーションは、ダウンリンク制御情報（ＤＣＩ）におけるＱＣＬインジケータビット幅が増大され得ることを暗示し得る（例えば、ビット幅を３ビットに増やす）。いくつかのケースでは、レイヤごとの、またはコードワードごとのＱＣＬ構成は、ＣＲＳ、ＣＳＩ−ＲＳ、およびＰＤＳＣＨ復調基準信号（ＤＭＲＳ）が周波数シフト、ドップラー拡散、受信タイミング、または遅延拡散に少なくとも関して疑似コロケートされたと仮定され得る構成に制限され得る。
【００６０】
[0067]いくつかのケースでは、基地局３０５−ａおよび３０５−ｂは、それら独自のそれぞれのリソース割り振りを有し得る。例えば、第１の基地局３０５−ａはリソースブロック（ＲＢ）の第１のセットを使用し得、その一方で、第２の基地局３０５−ｂはＲＢの第２のセットを使用し得、ここで、ＲＢの第１のセットおよび第２のセットは異なり得る（例えば、ＲＢは等しくない可能性がある）。いくつかの例では、基地局３０５−ａがＲＢの第１のセットを使用し得る一方で、基地局３０５−ｂおよび第３の基地局３０５（図示せず）は、単一のコードワード３１５を送信するために組み合わされ得、双方とも同じＲＢのセットを使用し得る。結果として、ＤＣＩは、コードワードごとの、またはレイヤごとのリソース割り振り情報フィールドのような、リソース割り振りに関連付けられた２つ以上の情報フィールドに対応し得る。
【００６１】
[0068]いくつかのケースでは、２つ以上のＣＳＩ−ＲＳリソース構成がＵＥ３１５に使用される場合、多重仮説ＣＳＩフィードバック（multi-hypotheses CSI feedback）がＣＳＩプロセスのために（または複数のＣＳＩ−ＲＳプロセスを介して）サポートされ得る。例えば、ＣＳＩプロセスのための２つのＣＳＩ−ＲＳリソースセット（例えば、ＣＳＩ−ＲＳリソースセット１およびＣＳＩ−ＲＳリソースセット２）がＵＥ３１５のために構成され得る。ＵＥ１１５は、少なくともリソースセット１、リソースセット２、および／またはリソースセット１およびリソースセット２の組み合わせに基づいてフィードバックを提供し得る。
【００６２】
[0069]ＵＥ３１５が１つの基地局３０５（例えば、基地局３０５−ａ）のみによってサービス提供され得る場合では、ＵＥ３１５は、それに応じて、リソースセット１またはリソースセット２のいずれかを使用してその基地局３０５−ａについてのＣＳＩを報告し得る。いくつかのケースでは、ＣＳＩ干渉測定（ＣＳＩ−ＩＭ）は、第１の基地局３０５（例えば、基地局３０５−ａ）のために構成され得、第２の基地局３０５（例えば、基地局３０５−ｂ）によってもたらされる干渉をキャプチャし得る。第２の基地局３０５のために構成されたＣＳＩ−ＩＭは、第１の基地局３０５によってもたらされる干渉をキャプチャし得る、あるいは、その逆も同様である。
【００６３】
[0070]いくつかのケースでは、ＵＥ３１５は、第１の基地局３０５（例えば、基地局３０５−ａ）および第２の基地局３０５（例えば、基地局３０５−ｂ）の両方によってサービス提供されるように意図され得、それに応じて、リソースセット１およびリソースセット２の組み合わせを使用して基地局３０５についてのＣＳＩを報告し得る。このケースでは、ＵＥ３１５は、２つのリソースセット（例えば、リソースセット１およびリソースセット２）の間の位相オフセットを仮定することを控え得、ＣＳＩ−ＩＭ構成は、他のセルからの干渉をキャプチャし得る。いくつかのケースでは、ＵＥ３１５は、１つのＣＳＩ−ＲＳプロセスに対して最大３つのＣＳＩ−ＩＭ構成で、または複数のＣＳＩ−ＲＳプロセスを介して構成され得る。
【００６４】
[0071]いくつかのケースでは、基地局３０５−ａおよび３０５−ｂは、各々、２つの送信アンテナを有し得る。さらに、ＵＥ３１５はまた、１つより多くの受信アンテナ（例えば、４つの受信アンテナ）を有し得る。ＵＥ３１５は、第１のＣＳＩ−ＲＳリソースセットおよび第２のＣＳＩ−ＲＳリソースセットで構成され得、ここで、各セットは、２つのポートに関連付けられる。いくつかのケースでは、第１および第２のリソースセットのためのＲＩ／ＰＭＩは、２×４構成に基づき得る。リソースセット１および２の組み合わせのためのＲＩ／ＰＭＩは、基地局３０５−ａおよび３０５−ｂについて別々に報告され得、ここで、各々は、２×４構成に基づき得る。いくつかのケースでは、基地局３０５ごとに報告されたＲＩ／ＰＭＩは、他の基地局３０５への影響を考慮し得る（account for）。
【００６５】
[0072]別の例では、２つの基地局３０５−ａおよび３０５−ｂは各々、８個の送信アンテナを有し得、８個の受信アンテナを有し得るＵＥ３１５と通信し得る。ＵＥ３１５は、それぞれが８個のポートを有する、ＣＳＩ−ＲＳリソースセット１およびＣＳＩ−ＲＳリソースセット２で構成され得る。リソースセット１のためのＲＩ／ＰＭＩは、８×８構成に基づき得、リソースセット２のためのＲＩ／ＰＭＩもまた、８×８構成に基づき得る。両方のリソースセットの組み合わせのためのＲＩ／ＰＭＩは、基地局３０５−ａおよび３０５−ｂの各々について別々に報告され得る。各ＣＳＩ−ＲＳリソースセットは、８×８構成に基づき得るが、各基地局３０５ついてのランク４インジケーションに限定され得る。例えば、ＲＩは、第１の基地局３０５−ａに対して最大ランク４まで、第２の基地局３０５−ｂに対して最大ランク２まで示し得る。この例では、合計で６つのレイヤが使用され得、ここで、第１のコードワードが４つのレイヤにマッピングされ、第２のコードワードが２つのレイヤにマッピングされる。いくつかのケースでは、このマッピング構成は、両方のコードワードが同じ基地局３０５（例えば、基地局３０５−ａまたは基地局３０５−ｂ）から送信されたときにはサポートされない可能性がある。別の例では、ＲＩは、第１の基地局３０５（例えば、基地局３０５−ａ）に対して最大ランク４まで、第２の基地局３０５（例えば、基地局３０５−ｂ）に対して最大ランク３まで示し得る。上述したように、基地局３０５ごとに報告されたＲＩ／ＰＭＩは、他の基地局１０５への影響を考慮し得る。
【００６６】
[0073]いくつかのケースでは、複数の基地局３０５のセットが通信しているときに、レイヤの総数がアンテナ構成にしたがって利用可能なレイヤを超えない限り、基地局３０５は、複数の基地局３０５のセットから基地局３０５ごとに制限されたＲＩを示し得る。いくつかのケースでは、制限は、コードワードごとのレイヤの数が、ＭＩＭＯレイヤ固有の構成、またはコードワード固有の構成を使用しないシステムにおけるレイヤ（例えばレイヤ１、２、３、および４）に一致することを可能にし得る。
【００６７】
[0074]いくつかのケースでは、１つまたは複数の基地局３０５から送信された複数のコードワードにわたるＭＩＭＯレイヤの組み合わせは、単一の基地局３０５によって送信された許可された組み合わせに一致し得る。すなわち、異なる基地局３０５から送信された２つのコードワードにわたるＭＩＭＯレイヤの組み合わせのセットは、両方のコードワードが同じ基地局３０５から送信されたとき、２つのコードワードに対して許可された組み合わせのセットとアラインされ（be aligned）得る。例えば、第１のコードワードに対する４つのレイヤおよび第２のコードワードに対する２つのレイヤの組み合わせが単一の基地局３０５によって送信されたときに許可されない可能性がある場合、同じ組み合わせは、２つのコードワードが異なる基地局３０５から送信された場合には許可されない可能性がある。
【００６８】
[0075]異なるセルは、異なる特殊サブフレーム構成を使用し得、ここで、ＤＭＲＳパターンは、特殊サブフレーム構成の関数（a function）であり得る。例えば、６個のダウンリンクパイロットタイムスロット（ＤｗＰＴＳ）シンボル対６個のガード期間（ＧＰ）シンボル対２つのアップリンクパイロットタイムスロット（ＵｐＰＴＳ）シンボル（６：６：２）の特殊サブフレーム構成、ここで、シンボル２および３に対応するＤＭＲＳシンボルのみが存在する（例えば、１つのストリップ（strip）ＤＭＲＳパターン）。いくつかのケースでは、同じＤＭＲＳパターンがＣｏＭＰを使用して通信するセルにわたって使用され得る。結果として、互換性のあるＤＭＲＳパターンの特殊サブフレームのみが、レイヤ固有の構成、およびコードワード固有の構成に使用され得る。例えば、１１および１２個のシンボルを備えたＤｗＰＴＳパターンは、コードワードまたはレイヤ固有の構成に使用され得るが、１２および１０個のシンボルを備えたＤｗＰＴＳパターンは使用されない可能性がある。
【００６９】
[0076]いくつかのケースでは、ＭＩＭＯレイヤ固有の構成に対して異なるＤＬ／ＵＬサブフレーム構成が存在し得、ＭＩＭＯレイヤ固有の構成に関与するセルのセットは、サブフレーム依存であり得る。例えば、第１のサブフレームでは、第１のセルがＤＬセルであり得、一方で、第２のセルはＵＬ送信に使用され得る。加えて、第２のサブフレームでは、両方のセルがＭＩＭＯレイヤ固有の構成のためのＤＬ送信に使用され得る。
【００７０】
[0077]いくつかのケースでは、拡張物理ダウンリンク制御チャネル（ｅＰＤＣＣＨ）は、最大２つのリソースセットで構成され得る。各ｅＰＤＣＣＨリソースセットは、疑似コロケーションインジケータ（ＰＱＩ）リソースセット構成および４つのＰＤＳＣＨリソースエレメント（ＲＥ）マッピングのうちの１つとリンクされ得る。ＰＱＩ構成がレイヤまたはコードワード固有のものである場合、ｅＰＤＣＣＨリソースセットは、特定のレイヤまたはコードワードの４つのＰＣＩ構成のうちの１つとリンクされ得る。例えば、関連ＰＱＩリソース構成の第１のレイヤまたはコードワードが使用され得る。いくつかのケースでは、ｅＰＤＣＣＨリソースへのリンクは、ＰＱＩリソースセットがどのように構成されるかに依存し得る。例えば、最大８個のＰＱＩリソースセットが構成され得、ここで、各セットはＰＱＩ構成のペアを含む（例えば、セット１：{ＰＱＩ構成１．１、ＰＱＩ構成１．２}およびセット２{ＰＱＩ構成２．１、ＰＱＩ構成２．２}、．．．、セット８{ＰＱＩ構成８．１、ＰＱＩ構成８．２}）。いくつかのケースでは、ｅＰＤＣＣＨは、例えば、セット１およびセット５の第１の構成とリンクされ得る。
【００７１】
[0078]図４は、本開示の様々な態様にしたがった、拡張ＣｏＭＰ動作のためのプロセスフロー４００の例を例示する。プロセスフロー４００は、基地局４３５−ａおよび４３５−ｂ、およびＵＥ４４０を含み得、それらは、図１〜２を参照して説明された対応デバイスの例であり得る。
【００７２】
[0079]ステップ４０５において、基地局４３５は、基地局４３５（例えば、基地局４３５−ａおよび４３５−ｂ）に関連付けられた通信構成のセットを決定し得、ここで、通信構成のセットのうちの少なくとも１つは、ＭＩＭＯレイヤ固有の通信またはコードワード固有の通信に基づく。構成のセットの決定は、基地局４３５−ａ、または基地局４３５−ｂ、または両方によって完了され得る。加えて、基地局４３５は、ＣＢＦモード、ＤＰＳモード、またはＪＴモードを含むＣｏＭＰ構成にしたがって協調され得る。
【００７３】
[0080]ステップ４１０において、ＵＥ４４０は、基地局４３５（例えば、基地局４３５−ａおよび４３５−ｂ）に関連付けられた通信構成のセットを受信し得、ここで、通信構成のセットのうちの少なくとも１つは、ＭＩＭＯレイヤ固有の構成またはコードワード固有の構成を含む。
【００７４】
[0081]ステップ４１５において、ＵＥ４４０は、ステップ４１０において受信された通信構成のセットから通信構成のインジケーションを受信し得る。いくつかの例では、通信構成のセットおよびインジケーションは、基地局４３５−ａ、または基地局４３５−ｂ、または両方によって送信され得る。通信構成は、ＣＳＩ電力オフセット構成、ＣＳＩサブフレームセット構成、コードブック制限、レートマッチング構成、ＱＣＬインジケーション、またはこれらの任意の組み合わせを含み得る。いくつかのケースでは、レートマッチング構成は、ＰＤＳＣＨ送信のための開始シンボル、ＭＢＳＦＮインジケーション、ＣＲＳ構成、１つまたは複数のＮＺＰ ＣＳＩ−ＲＳ構成、またはこれらの任意の組み合わせを含み得る。
【００７５】
[0082]ステップ４２０において、ＵＥ４４０は、通信構成に基づいて複数の基地局の各々に対するリソース割り振りを識別し得る。いくつかのケースでは、ＵＥ４４０はまた、通信構成に基づいて基地局４３５（例えば、基地局４３５−ａおよび基地局４３５−ｂ）のうちの１つまたは複数のためのＣＳＩ−ＲＳポート構成を識別し得る。
【００７６】
[0083]ステップ４２５において、ＵＥ４４０は、基地局４３５−ａおよび／または基地局４３５−ｂについてのＣＳＩレポートを生成し得、ここで、ＣＳＩレポートは、１つまたは複数の基地局４３５に基づく。いくつかの例では、ＣＳＩ−ＲＳポート構成は、ＵＥ４４０のための受信ポートの数および１つまたは複数の基地局４３５のための送信ポートの数に基づき得る。いくつかの他のケースでは、ＵＥ４４０は、通信構成に基づいて１つまたは複数のＴＰについての個々のＣＳＩレポートを生成し得、ここで、通信構成は、基地局４３５−ａのような、単一の基地局４３５との通信に基づく。その後、ＵＥ４４０は、基地局４３５−ａに個々のＣＳＩレポートを送信し得る。追加または代替として、ＵＥ４４０は、通信構成に基づいて基地局４３５（例えば、基地局４３５−ａおよび基地局４３５−ｂ）の各々についての組み合わされたＣＳＩレポートを生成し得、ここで、通信構成は、両方の基地局４３５との通信に基づく。その後、ＵＥ４４０は、ステップ４２５を参照してさらに説明されたように、基地局４３５の各々についての組み合わされたＣＳＩレポートを送信し得る。
【００７７】
[0084]ステップ４３０において、ＵＥ４４０は、通信構成を使用して１つまたは複数の基地局４３５（例えば、基地局４３５−ａまたは基地局４３５−ｂのいずれか、または両方）と通信し得る。いくつかのケースでは、１つまたは複数の基地局４３５と通信することは、例えば、ステップ４２５において、以前に生成され得る、個々のＣＳＩレポート、組み合わされたＣＳＩレポート、または両方を、１つまたは複数の基地局４３５に送信することを備え得る。いくつかのケースでは、１つまたは複数の基地局４３５と通信することは、リソース割り振りに基づく。いくつかの他のケースでは、通信することは、ｅＰＤＣＣＨ構成に基づく。追加または代替として、通信することは、ＣｏＭＰ構成に基づき得る。
【００７８】
[0085]図５は、本開示の様々な態様にしたがった、拡張ＣｏＭＰ動作をサポートするワイヤレスデバイス５００のブロック図を示す。ワイヤレスデバイス５００は、図１および図２を参照して説明されたＵＥ１１５およびＵＥ２１５の態様の例であり得る。ワイヤレスデバイス５００は、受信機５０５、ＵＥ ＣｏＭＰマネージャ５１０、および送信機５１５を含み得る。ワイヤレスデバイス５００はまた、プロセッサを含み得る。これらのコンポーネントの各々は、互いと通信状態にあり得る。
【００７９】
[0086]受信機５０５は、（例えば、拡張ＣｏＭＰ動作に関連した情報、データチャネル、および制御チャネル、等の）様々な情報チャネルに関連付けられた制御情報、ユーザデータ、またはパケットのような情報を受信し得る。情報は、デバイスの他のコンポーネントへとパスされ（be passed on）得る。受信機５０５は、図８を参照して説明されるトランシーバ８２５の態様の例であり得る。
【００８０】
[0087]ＵＥ ＣｏＭＰマネージャ５１０は、基地局１０５のセットに関連付けられた通信構成のセットを受信し、ここで、通信構成のセットのうちの少なくとも１つは、ＭＩＭＯレイヤ固有の構成またはコードワード固有の構成を含み、通信構成のセットから通信構成のインジケーションを受信し、通信構成を使用して基地局１０５のセットうちの少なくとも１つの基地局１０５と通信し得る。ＵＥ ＣｏＭＰマネージャ５１０はまた、図８を参照して説明されるＵＥ ＣｏＭＰマネージャ８０５の態様の例であり得る。
【００８１】
[0088]送信機５１５は、ワイヤレスデバイス５００の他のコンポーネントから受信された信号を送信し得る。いくつかの例では、送信機５１５は、トランシーバモジュールにおいて受信機とコロケートされ得る。例えば、送信機５１５は、図８を参照して説明されるトランシーバ８２５の態様の例であり得る。送信機５１５は、単一のアンテナを含み得るか、またはそれは、複数のアンテナを含み得る。
【００８２】
[0089]図６は、本開示の様々な態様にしたがった、拡張ＣｏＭＰ動作をサポートするワイヤレスデバイス６００のブロック図を示す。ワイヤレスデバイス６００は、図１および図５を参照して説明されたワイヤレスデバイス５００またはＵＥ１１５の態様の例であり得る。ワイヤレスデバイス６００は、受信機６０５、ＵＥ ＣｏＭＰマネージャ６１０、および送信機６３０を含み得る。ワイヤレスデバイス６００はまた、プロセッサを含み得る。これらのコンポーネントの各々は、互いと通信状態にあり得る。
【００８３】
[0090]受信機６０５は、デバイスの他のコンポーネントへとパスされ得る情報を受信し得る。受信機６０５はまた、図５の受信機５０５を参照して説明された機能を実行し得る。受信機６０５は、図８を参照して説明されるトランシーバ８２５の態様の例であり得る。
【００８４】
[0091]ＵＥ ＣｏＭＰマネージャ６１０は、図５を参照して説明されたＵＥ ＣｏＭＰマネージャ５１０の態様の例であり得る。ＵＥ ＣｏＭＰマネージャ６１０は、通信構成コンポーネント６１５、構成インジケーションコンポーネント６２０、および協調通信コンポーネント６２５を含み得る。ＵＥ ＣｏＭＰマネージャ６１０は、図８を参照して説明されるＵＥ ＣｏＭＰマネージャ８０５の態様の例であり得る。
【００８５】
[0092]通信構成コンポーネント６１５は、基地局のセットに関連付けられた通信構成のセットを受信し得、ここで、通信構成のセットのうちの少なくとも１つは、ＭＩＭＯレイヤ固有の構成またはコードワード固有の構成を含む。いくつかのケースでは、レートマッチング構成は、ＰＤＳＣＨ送信のための開始シンボル、ＰＤＳＣＨ送信のための終了シンボル、ＭＢＳＦＮインジケーション、ＣＲＳ構成、１つまたは複数のＮＺＰ ＣＳＩ−ＲＳ構成、またはこれらの任意の組み合わせを含む。
【００８６】
[0093]いくつかのケースでは、通信構成はＵＬ構成およびＤＬ構成を含む。いくつかのケースでは、通信構成は、ｅＰＤＣＣＨ構成を含み、ここで、通信することは、ｅＰＤＣＣＨ構成に基づく。いくつかのケースでは、ｅＰＤＣＣＨ構成は、ＭＩＭＯレイヤ固有の構成またはコードワード固有の構成に関連付けられた１つまたは複数のｅＰＤＣＣＨリソースセットを含む。
【００８７】
[0094]いくつかのケースでは、基地局のセットは、ＣＢＦモード、ＤＰＳモード、またはＪＴモードを含むＣｏＭＰ構成にしたがって協調され、ここで、通信することは、ＣｏＭＰ構成に基づく。いくつかのケースでは、通信構成は、ＣＳＩ電力オフセット構成、ＣＳＩサブフレームセット構成、コードブック制限、レートマッチング構成、ＱＣＬインジケーション、またはこれらの任意の組み合わせを含む。
【００８８】
[0095]構成インジケーションコンポーネント６２０は、通信構成のセットから通信構成のインジケーションを受信し得る。協調通信コンポーネント６２５は、通信構成を使用して基地局のセットのうちの少なくとも１つの基地局と通信し得る。
【００８９】
[0096]送信機６３０は、ワイヤレスデバイス６００の他のコンポーネントから受信された信号を送信し得る。いくつかの例では、送信機６３０は、トランシーバモジュールにおいて受信機とコロケートされ得る。例えば、送信機６３０は、図８を参照して説明されるトランシーバ８２５の態様の例であり得る。送信機６３０は、単一のアンテナを利用し得るか、またはそれは、複数のアンテナを利用し得る。
【００９０】
[0097]図７は、ワイヤレスデバイス５００またはワイヤレスデバイス６００の対応するコンポーネントの例であり得るＵＥ ＣｏＭＰマネージャ７００のブロック図を示す。すなわち、ＵＥ ＣｏＭＰマネージャ７００は、図５および６を参照して説明されたＵＥ ＣｏＭＰマネージャ５１０またはＵＥ ＣｏＭＰマネージャ６１０の態様の例であり得る。ＵＥ ＣｏＭＰマネージャ７００はまた、図８を参照して説明されるＵＥ ＣｏＭＰマネージャ８０５の態様の例であり得る。
【００９１】
[0098]ＵＥ ＣｏＭＰマネージャ７００は、リソース割り振りコンポーネント７０５、ＣＳＩ−ＲＳポート構成コンポーネント７１０、ＣＳＩレポートコンポーネント７１５、特殊サブフレームコンポーネント７２０、構成インジケーションコンポーネント７２５、通信構成コンポーネント７３０、および協調通信コンポーネント７３５を含み得る。これらのモジュールの各々は、（例えば、１つまたは複数のバスを介して）互いと直接的にまたは間接的に通信し得る。
【００９２】
[0099]リソース割り振りコンポーネント７０５は、通信構成に基づいて基地局のセットの各々に対するリソース割り振りを識別し得、ここで、通信することは、リソース割り振りに基づく。ＣＳＩ−ＲＳポート構成コンポーネント７１０は、通信構成に基づいて少なくとも１つの基地局のためのＣＳＩ−ＲＳポート構成を識別し得る。いくつかのケースでは、ＣＳＩ−ＲＳポート構成は、ＵＥのための受信ポートの数および少なくとも１つの基地局のための送信ポートの数に基づく。
【００９３】
[00100]ＣＳＩレポートコンポーネント７１５は、少なくとも１つの基地局にＣＳＩレポートを送信し、ここで、ＣＳＩレポートはＣＳＩ−ＲＳポート構成および基地局のセットに基づき、通信構成に基づいて少なくとも１つの基地局についての個々のＣＳＩレポートを生成し、ここで通信構成は単一の基地局との通信に基づき、個々のＣＳＩレポートを送信し、通信構成に基づいて基地局のセットの各々についての組み合わされたＣＳＩレポートを生成し、ここで、通信構成は、基地局のセットとの通信に基づき、基地局のセットの各々についての組み合わされたＣＳＩレポートを送信し得る。
【００９４】
[00101]特殊サブフレームコンポーネント７２０は、通信構成に基づいてセット基地局の各々のための特殊サブフレーム構成を識別し得、ここで、通信することは、特殊サブフレーム構成に基づく。いくつかのケースでは、特殊サブフレーム構成は、ＤＭＲＳパターンを含み、ここで、通信することは、ＤＭＲＳパターンに基づく。構成インジケーションコンポーネント７２５は、通信構成のセットから通信構成のインジケーションを受信し得る。
【００９５】
[00102]通信構成コンポーネント７３０は、基地局のセットに関連付けられた通信構成のセットを受信し得、ここで、通信構成のセットのうちの少なくとも１つは、ＭＩＭＯレイヤ固有の構成またはコードワード固有の構成を含む。協調通信コンポーネント７３５は、通信構成を使用して基地局のセットのうちの少なくとも１つの基地局と通信し得る。
【００９６】
[00103]図８は、本開示の様々な態様にしたがった、拡張ＣｏＭＰ動作をサポートするデバイスを含むシステム８００の図を示す。例えば、システム８００は、ＵＥ８４５を含み得、それは、図１および図５〜図７を参照して説明されたような、ワイヤレスデバイス５００、ワイヤレスデバイス６００、またはＵＥ１１５の例であり得る。
【００９７】
[00104]ＵＥ８４５はまた、ＵＥ ＣｏＭＰマネージャ８０５、メモリ８１０、プロセッサ８２０、トランシーバ８２５、アンテナ８３０、およびＭＩＭＯモジュール８３５を含み得る。これらのモジュールの各々は、（例えば、１つまたは複数のバス８４０を介して）互いと直接的にまたは間接的に通信し得る。ＵＥ ＣｏＭＰマネージャ８０５は、図５〜７を参照して説明されたようなＵＥ ＣｏＭＰマネージャの例であり得る。
【００９８】
[00105]メモリ８１０は、ランダムアクセスメモリ（ＲＡＭ）および読取専用メモリ（ＲＯＭ）を含み得る。メモリ８１０は、実行されると、プロセッサに、本明細書に説明された様々な機能（例えば、拡張ＣｏＭＰ動作、等）を実行することを行わせる命令を含むコンピュータ可読、コンピュータ実行可能ソフトウェアを記憶し得る。いくつかのケースでは、ソフトウェア８１５は、プロセッサによって直接的に実行可能でないことがあるが、（例えば、コンパイルされ、実行されると）コンピュータに、本明細書で説明された機能を実行することを行わせ得る。プロセッサ８２０は、インテリジェントハードウェアデバイス、（例えば、中央処理ユニット（ＣＰＵ）、マイクロコントローラ、特定用途向け集積回路（ＡＳＩＣ）、等）を含み得る。
【００９９】
[00106]トランシーバ８２５は、上記で説明されたように、１つまたは複数のネットワークと、１つまたは複数のアンテナ、ワイヤードリンク、またはワイヤレスリンクを介して、双方向に通信し得る。例えば、トランシーバ８２５は、基地局８５０またはＵＥ１１５と双方向に通信し得る。トランシーバ８２５はまた、パケットを変調して、変調されたパケットを送信のためにアンテナに提供するための、およびアンテナから受信されたパケットを復調するためのモデムを含み得る。いくつかのケースでは、ワイヤレスデバイスは、単一のアンテナ８３０を含み得る。しかしながら、いくつかのケースでは、デバイスは、１つより多くのアンテナ８３０を有し得、それらは、複数のワイヤレス送信を同時並行に送信または受信することが可能であり得る。ＭＩＭＯモジュール８３５は、上記で説明されたように、複数の論理通信レイヤを使用して通信するようなＭＩＭＯ動作を可能にし得る。
【０１００】
[00107]図９は、本開示の様々な態様にしたがった、拡張ＣｏＭＰ動作をサポートするワイヤレスデバイス９００のブロック図を示す。ワイヤレスデバイス９００は、図１および図２を参照して説明された基地局１０５の態様の例であり得る。ワイヤレスデバイス９００は、受信機９０５、基地局ＣｏＭＰマネージャ９１０、および送信機９１５を含み得る。ワイヤレスデバイス９００はまた、プロセッサを含み得る。これらのコンポーネントの各々は、互いと通信状態にあり得る。
【０１０１】
[00108]受信機９０５は、（例えば、拡張ＣｏＭＰ動作に関連した情報、データチャネル、および制御チャネル、等の）様々な情報チャネルに関連付けられた制御情報、ユーザデータ、またはパケットのような情報を受信し得る。情報は、デバイスの他のコンポーネントへとパスされ得る。受信機９０５は、図１２を参照して説明されるトランシーバ１２２５の態様の例であり得る。
【０１０２】
[00109]基地局ＣｏＭＰマネージャ９１０は、基地局のセットに関連付けられた通信構成のセットを送信し、ここで、通信構成のセットのうちの少なくとも１つは、ＭＩＭＯレイヤ固有の通信またはコードワード固有の通信に基づき、通信構成のセットから通信構成のインジケーションを送信し、通信構成を使用してＵＥと通信し得る。基地局ＣｏＭＰマネージャ９１０はまた、図１２を参照して説明される基地局ＣｏＭＰマネージャ１２０５の態様の例であり得る。
【０１０３】
[00110]送信機９１５は、ワイヤレスデバイス９００の他のコンポーネントから受信された信号を送信し得る。いくつかの例では、送信機９１５は、トランシーバモジュールにおいて受信機とコロケートされ得る。例えば、送信機９１５は、図１２を参照して説明されるトランシーバ１２２５の態様の例であり得る。送信機９１５は、単一のアンテナを含み得るか、またはそれは、複数のアンテナを含み得る。
【０１０４】
[00111]図１０は、本開示の様々な態様にしたがった、拡張ＣｏＭＰ動作をサポートするワイヤレスデバイス１０００のブロック図を示す。ワイヤレスデバイス１０００は、図１、２および９を参照して説明されたワイヤレスデバイス９００または基地局１０５の態様の例であり得る。ワイヤレスデバイス１０００は、受信機１００５、基地局ＣｏＭＰマネージャ１０１０、および送信機１０３０を含み得る。ワイヤレスデバイス１０００はまた、プロセッサを含み得る。これらのコンポーネントの各々は、互いと通信状態にあり得る。
【０１０５】
[00112]受信機１００５は、デバイスの他のコンポーネントへとパスされ得る情報を受信し得る。受信機１００５はまた、図９の受信機９０５を参照して説明された機能を実行し得る。受信機１００５は、図１２を参照して説明されるトランシーバ１２２５の態様の例であり得る。
【０１０６】
[00113]基地局ＣｏＭＰマネージャ１０１０は、図９を参照して説明された基地局ＣｏＭＰマネージャ９１０の態様の例であり得る。基地局ＣｏＭＰマネージャ１０１０は、通信構成コンポーネント１０１５、構成インジケーションコンポーネント１０２０、および協調通信コンポーネント１０２５を含み得る。基地局ＣｏＭＰマネージャ１０１０は、図１２を参照して説明される基地局ＣｏＭＰマネージャ１２０５の態様の例であり得る。
【０１０７】
[00114]通信構成コンポーネント１０１５は、基地局のセットに関連付けられた通信構成のセットを送信し得、ここで、通信構成のセットのうちの少なくとも１つは、ＭＩＭＯレイヤ固有の通信またはコードワード固有の通信に基づく。いくつかのケースでは、通信構成は、ＣＳＩ電力オフセット構成、ＣＳＩサブフレームセット構成、コードブック制限、レートマッチング構成、ＱＣＬインジケーション、またはこれらの任意の組み合わせを含む。いくつかのケースでは、レートマッチング構成は、ＰＤＳＣＨ送信のための開始シンボル、ＰＤＳＣＨ送信のための終了シンボル、ＭＢＳＦＮインジケーション、ＣＲＳ構成、１つまたは複数のＮＺＰ ＣＳＩ−ＲＳ構成、またはこれらの任意の組み合わせを含む。
【０１０８】
[00115]いくつかのケースでは、通信構成はＵＬ構成およびＤＬ構成を含む。いくつかのケースでは、通信構成は、ｅＰＤＣＣＨ構成を含み、ここで、通信することは、ｅＰＤＣＣＨ構成に基づく。いくつかのケースでは、基地局のセットは、ＣＢＦモード、ＤＰＳモード、またはＪＴモードを含むＣｏＭＰ構成にしたがって協調され、ここで、通信することは、ＣｏＭＰ構成に基づく。
【０１０９】
[00116]構成インジケーションコンポーネント１０２０は、通信構成のセットから通信構成のインジケーションを送信し得る。協調通信コンポーネント１０２５は、通信構成を使用してＵＥと通信し得る。
【０１１０】
[00117]送信機１０３０は、ワイヤレスデバイス１０００の他のコンポーネントから受信された信号を送信し得る。いくつかの例では、送信機１０３０は、トランシーバモジュールにおいて受信機とコロケートされ得る。例えば、送信機１０３０は、図１２を参照して説明されるトランシーバ１２２５の態様の例であり得る。送信機１０３０は、単一のアンテナを利用し得るか、またはそれは、複数のアンテナを利用し得る。
【０１１１】
[00118]図１１は、ワイヤレスデバイス９００またはワイヤレスデバイス１０００の対応するコンポーネントの例であり得る基地局ＣｏＭＰマネージャ１１００のブロック図を示す。すなわち、基地局ＣｏＭＰマネージャ１１００は、図９および１０を参照して説明された基地局ＣｏＭＰマネージャ９１０または基地局ＣｏＭＰマネージャ１０１０の態様の例であり得る。基地局ＣｏＭＰマネージャ１１００はまた、図１２を参照して説明される基地局ＣｏＭＰマネージャ１２０５の態様の例であり得る。
【０１１２】
[00119]基地局ＣｏＭＰマネージャ１１００は、リソース割り振りコンポーネント１１０５、ＣＳＩ−ＲＳポート構成コンポーネント１１１０、ＣＳＩレポートコンポーネント１１１５、特殊サブフレームコンポーネント１１２０、構成インジケーションコンポーネント１１２５、通信構成コンポーネント１１３０、および協調通信コンポーネント１１３５を含み得る。これらのモジュールの各々は、（例えば、１つまたは複数のバスを介して）互いと直接的にまたは間接的に通信し得る。
【０１１３】
[00120]リソース割り振りコンポーネント１１０５は、通信構成に基づいて基地局のセットの各々に対するリソース割り振りを識別し得、ここで、通信することは、リソース割り振りに基づく。ＣＳＩ−ＲＳポート構成コンポーネント１１１０は、通信構成に基づいてＣＳＩ−ＲＳポート構成を識別し得る。いくつかのケースでは、ＣＳＩ−ＲＳポート構成は、ＵＥのための受信ポートの数および送信ポートの数に基づく。
【０１１４】
[00121]ＣＳＩレポートコンポーネント１１１５は、ＣＳＩ−ＲＳポート構成および基地局のセットに基づいてＣＳＩレポートを受信し、通信構成に基づいて個々のＣＳＩレポートを受信し、ここで、通信構成はＵＥと単一の基地局との間の通信に基づき、通信構成に基づいて組み合わされたＣＳＩレポートを受信し得、ここで、通信構成は基地局のセットとの通信に基づく。
【０１１５】
[00122]特殊サブフレームコンポーネント１１２０は、通信構成に基づいて特殊サブフレーム構成を識別し得、ここで、通信することは、特殊サブフレーム構成に基づく。いくつかのケースでは、特殊サブフレーム構成は、ＤＭＲＳパターンを含み、ここで、通信することは、ＤＭＲＳ構成に基づく。構成インジケーションコンポーネント１１２５は、通信構成のセットから通信構成のインジケーションを送信し得る。
【０１１６】
[00123]通信構成コンポーネント１１３０は、基地局のセットに関連付けられた通信構成のセットを送信し得、ここで、通信構成のセットのうちの少なくとも１つは、ＭＩＭＯレイヤ固有の通信またはコードワード固有の通信に基づく。協調通信コンポーネント１１３５は、通信構成を使用してＵＥと通信し得る。
【０１１７】
[00124]図１２は、本開示の様々な態様にしたがった、拡張ＣｏＭＰ動作をサポートするデバイスを含むワイヤレスシステム１２００の図を示す。例えば、システム１２００は、基地局１２５０−ａを含み得、それは、図１および９〜１１を参照して説明されるようなワイヤレスデバイス９００、ワイヤレスデバイス１０００、または基地局１０５の例であり得る。基地局１２５０−ａはまた、通信を送信するためのコンポーネントと、通信を受信するためのコンポーネントとを含む、双方向の音声およびデータ通信のためのコンポーネントを含み得る。例えば、基地局１２５０−ａは、１つまたは複数のＵＥ１２５５（例えば、ＵＥ１２５５−ａおよびＵＥ１２５５−ｂ）と双方向に通信し得る。
【０１１８】
[00125]基地局１２５０−ａはまた、基地局ＣｏＭＰマネージャ１２０５、メモリ１２１０、プロセッサ１２２０、トランシーバ１２２５、アンテナ１２３０、基地局通信モジュール１２３５、およびネットワーク通信モジュール１２４０を含み得る。これらのモジュールの各々は、（例えば、１つまたは複数のバス１２４５を介して）互いと直接的にまたは間接的に通信し得る。基地局ＣｏＭＰマネージャ１２０５は、図９〜１１を参照して説明されたような基地局ＣｏＭＰマネージャの例であり得る。
【０１１９】
[00126]メモリ１２１０は、ＲＡＭおよびＲＯＭを含み得る。メモリ１２１０は、実行されると、プロセッサに、本明細書に説明された様々な機能（例えば、拡張ＣｏＭＰ動作、等）を実行することを行わせる命令を含むコンピュータ可読、コンピュータ実行可能ソフトウェアを記憶し得る。いくつかのケースでは、ソフトウェア１２１５は、プロセッサによって直接的に実行可能でないことがあるが、（例えば、コンパイルされ、実行されると）コンピュータに、本明細書で説明された機能を実行することを行わせ得る。プロセッサ１２２０は、インテリジェントハードウェアデバイス（例えば、ＣＰＵ、マイクロコントローラ、ＡＳＩＣなど）を含み得る。
【０１２０】
[00127]トランシーバ１２２５は、上記で説明されたように、１つまたは複数のネットワークと、１つまたは複数のアンテナ、ワイヤードリンク、またはワイヤレスリンクを介して、双方向に通信し得る。例えば、トランシーバ１２２５は、基地局１２５０またはＵＥ１２５５と双方向に通信し得る。トランシーバ１２２５はまた、パケットを変調して、変調されたパケットを送信のためにアンテナに提供するための、およびアンテナから受信されたパケットを復調するためのモデムを含み得る。いくつかのケースでは、ワイヤレスデバイスは、単一のアンテナ１２３０を含み得る。しかしながら、いくつかのケースでは、デバイスは、１つより多くのアンテナ１２３０を有し得、それらは、複数のワイヤレス送信を同時並行に送信または受信することが可能であり得る。
【０１２１】
[00128]基地局通信モジュール１２３５は、他の基地局１２５０との通信を管理し得、他の基地局１２５０と連携してＵＥ１２５５との通信を制御するためのコントローラまたはスケジューラを含み得る。例えば、基地局通信モジュール１２３５は、ビームフォーミングまたはジョイント送信のような、様々な干渉緩和技法のために、ＵＥ１２５５への送信のためのスケジューリングを調整し（coordinate）得る。いくつかの例では、基地局通信モジュール１２３５は、１つまたは複数の他の基地局１２５０（例えば、基地局１２５０−ｂ、基地局１２５０−ｃ、または両方）間の通信を提供するために、ＬＴＥ／ＬＴＥ−Ａワイヤレス通信ネットワーク技術内のＸ２インターフェース１２３４を提供し得る。いくつかのケースでは、Ｘ２インターフェース１２３４は、図１を参照して説明されるようなバックホールリンク１３４の例であり得る。
【０１２２】
[00129]ネットワーク通信モジュール１２４０は、（例えば、１つまたは複数のワイヤードバックホールリンク１２３２を介して）コアネットワーク１２６０との通信を管理し得る。いくつかのケースでは、コアネットワーク１２６０およびバックホールリンク１２３２は、図１を参照して説明されたように、コアネットワーク１３０およびバックホールリンク１３２の例であり得る。例えば、ネットワーク通信モジュール１２４０は、１つまたは複数のＵＥ１２５５のような、クライアントデバイスのためのデータ通信の転送を管理し得る。
【０１２３】
[00130]図１３は、本開示の様々な態様にしたがった、拡張ＣｏＭＰ動作のための方法１３００を例示するフローチャートを示す。方法１３００の動作は、図１および２を参照して説明されたように、ＵＥ１１５またはＵＥ２１５のようなデバイス、またはそれらのコンポーネントによってインプリメントされ得る。例えば、方法１３００の動作は、本明細書で説明されるようなＵＥ ＣｏＭＰマネージャによって実行され得る。いくつかの例では、ＵＥ１１５は、以下で説明される機能を実行するために、デバイスの機能的な要素を制御するためのコードのセットを実行し得る。追加または代替として、ＵＥ１１５は、専用ハードウェアを使用して、以下で説明される機能の態様を実行し得る。
【０１２４】
[00131]ブロック１３０５において、ＵＥ１１５は、基地局のセットに関連付けられた通信構成のセットを受信し得、ここで、図２〜４を参照して上記で説明されたように、通信構成のセットのうちの少なくとも１つは、ＭＩＭＯレイヤ固有の構成またはコードワード固有の構成を含む。ある特定の例では、ブロック１３０５の動作は、図６および７を参照して説明されたような通信構成コンポーネントによって実行され得る。
【０１２５】
[00132]ブロック１３１０において、ＵＥ１１５は、図２〜４を参照して上記で説明されたように、通信構成のセットから通信構成のインジケーションを受信し得る。ある特定の例では、ブロック１３１０の動作は、図６および７を参照して説明されたような構成インジケーションコンポーネントによって実行され得る。
【０１２６】
[00133]ブロック１３１５において、ＵＥ１１５は、図２〜４を参照して上記で説明されたように、通信構成を使用して基地局のセットのうちの少なくとも１つの基地局と通信し得る。ある特定の例では、ブロック１３１５の動作は、図６および７を参照して説明されたような協調通信コンポーネントによって実行され得る。
【０１２７】
[00134]図１４は、本開示の様々な態様にしたがった、拡張ＣｏＭＰ動作のための方法１４００を例示するフローチャートを示す。方法１４００の動作は、図１および２を参照して説明されたように、ＵＥ１１５またはＵＥ２１５のようなデバイス、またはそれらのコンポーネントによってインプリメントされ得る。例えば、方法１４００の動作は、本明細書で説明されるようなＵＥ ＣｏＭＰマネージャによって実行され得る。いくつかの例では、ＵＥ１１５は、以下で説明される機能を実行するために、デバイスの機能的な要素を制御するためのコードのセットを実行し得る。追加または代替として、ＵＥ１１５は、専用ハードウェアを使用して、以下で説明される機能の態様を実行し得る。
【０１２８】
[00135]ブロック１４０５において、ＵＥ１１５は、基地局のセットに関連付けられた通信構成のセットを受信し得、ここで、図２〜４を参照して上記で説明されたように、通信構成のセットのうちの少なくとも１つは、ＭＩＭＯレイヤ固有の構成またはコードワード固有の構成を含む。ある特定の例では、ブロック１４０５の動作は、図６および７を参照して説明されたような通信構成コンポーネントによって実行され得る。
【０１２９】
[00136]ブロック１４１０において、ＵＥ１１５は、図２〜４を参照して上記で説明されたように、通信構成のセットから通信構成のインジケーションを受信し得る。ある特定の例では、ブロック１４１０の動作は、図６および７を参照して説明されたような構成インジケーションコンポーネントによって実行され得る。
【０１３０】
[00137]ブロック１４１５において、ＵＥ１１５は、通信構成に基づいて基地局のセットの各々に対するリソース割り振りを識別し得、ここで、通信することは、図２〜４を参照して上記で説明されたように、リソース割り振りに基づく。ある特定の例では、ブロック１４１５の動作は、図６および７を参照して説明されたようなリソース割振りコンポーネントによって実行され得る。
【０１３１】
[00138]ブロック１４２０において、ＵＥ１１５は、図２〜４を参照して上記で説明されたように、通信構成を使用して基地局のセットのうちの少なくとも１つの基地局と通信し得る。ある特定の例では、ブロック１４２０の動作は、図６および７を参照して説明されたような協調通信コンポーネントによって実行され得る。
【０１３２】
[00139]図１５は、本開示の様々な態様にしたがった、拡張ＣｏＭＰ動作のための方法１５００を例示するフローチャートを示す。方法１５００の動作は、図１および２を参照して説明されたように、ＵＥ１１５またはＵＥ２１５のようなデバイス、またはそれらのコンポーネントによってインプリメントされ得る。例えば、方法１５００の動作は、本明細書で説明されるようなＵＥ ＣｏＭＰマネージャによって実行され得る。いくつかの例では、ＵＥ１１５は、以下で説明される機能を実行するために、デバイスの機能的な要素を制御するためのコードのセットを実行し得る。追加または代替として、ＵＥ１１５は、専用ハードウェアを使用して、以下で説明される機能の態様を実行し得る。
【０１３３】
[00140]ブロック１５０５において、ＵＥ１１５は、基地局のセットに関連付けられた通信構成のセットを受信し得、ここで、図２〜４を参照して上記で説明されたように、通信構成のセットのうちの少なくとも１つは、ＭＩＭＯレイヤ固有の構成またはコードワード固有の構成を含む。ある特定の例では、ブロック１５０５の動作は、図６および７を参照して説明されたような通信構成コンポーネントによって実行され得る。
【０１３４】
[00141]ブロック１５１０において、ＵＥ１１５は、図２〜４を参照して上記で説明されたように、通信構成のセットから通信構成のインジケーションを受信し得る。ある特定の例では、ブロック１５１０の動作は、図６および７を参照して説明されたような構成インジケーションコンポーネントによって実行され得る。
【０１３５】
[00142]ブロック１５１５において、ＵＥ１１５は、図２〜４を参照して上記で説明されたように、通信構成に基づいて少なくとも１つの基地局のためのＣＳＩ−ＲＳポート構成を識別し得る。ある特定の例では、ブロック１５１５の動作は、図６および７を参照して説明されたようなＣＳＩ−ＲＳポート構成コンポーネントによって実行され得る。
【０１３６】
[00143]ブロック１５２０において、ＵＥ１１５は、少なくとも１つの基地局にＣＳＩレポートを送信し得、ここで、ＣＳＩレポートは、図２〜４を参照して上記で説明されたように、ＣＳＩ−ＲＳポート構成および基地局のセットに基づく。ある特定の例では、ブロック１５２０の動作は、図６および７を参照して説明されたようなＣＳＩレポートコンポーネントによって実行され得る。
【０１３７】
[00144]ブロック１５２５において、ＵＥ１１５は、図２〜４を参照して上記で説明されたように、通信構成を使用して基地局のセットのうちの少なくとも１つの基地局と通信し得る。ある特定の例では、ブロック１５２５の動作は、図６および７を参照して説明されたような協調通信コンポーネントによって実行され得る。
【０１３８】
[00145]図１６は、本開示の様々な態様にしたがった、拡張ＣｏＭＰ動作のための方法１６００を例示するフローチャートを示す。方法１６００の動作は、図１および２を参照して説明されたように、ＵＥ１１５またはＵＥ２１５のようなデバイス、またはそれらのコンポーネントによってインプリメントされ得る。例えば、方法１６００の動作は、本明細書で説明されるようなＵＥ ＣｏＭＰマネージャによって実行され得る。いくつかの例では、ＵＥ１１５は、以下で説明される機能を実行するために、デバイスの機能的な要素を制御するためのコードのセットを実行し得る。追加または代替として、ＵＥ１１５は、専用ハードウェアを使用して、以下で説明される機能の態様を実行し得る。
【０１３９】
[00146]ブロック１６０５において、ＵＥ１１５は、基地局のセットに関連付けられた通信構成のセットを受信し得、ここで、図２〜４を参照して上記で説明されたように、通信構成のセットのうちの少なくとも１つは、ＭＩＭＯレイヤ固有の構成またはコードワード固有の構成を含む。ある特定の例では、ブロック１６０５の動作は、図６および７を参照して説明されたような通信構成コンポーネントによって実行され得る。
【０１４０】
[00147]ブロック１６１０において、ＵＥ１１５は、図２〜４を参照して上記で説明されたように、通信構成のセットから通信構成のインジケーションを受信し得る。ある特定の例では、ブロック１６１０の動作は、図６および７を参照して説明されたような構成インジケーションコンポーネントによって実行され得る。
【０１４１】
[00148]ブロック１６１５において、ＵＥ１１５は、通信構成に基づいて少なくとも１つの基地局についての個々のＣＳＩレポートを生成し得、ここで、通信構成は、図２〜４を参照して上記で説明されたように、単一の基地局との通信に基づく。ある特定の例では、ブロック１６１５の動作は、図６および７を参照して説明されたようなＣＳＩレポートコンポーネントによって実行され得る。
【０１４２】
[00149]ブロック１６２０において、ＵＥ１１５は、図２〜４を参照して上記で説明されたように、個々のＣＳＩレポートを送信し得る。ある特定の例では、ブロック１６２０の動作は、図６および７を参照して説明されたようなＣＳＩレポートコンポーネントによって実行され得る。
【０１４３】
[00150]ブロック１６２５において、ＵＥ１１５は、図２〜４を参照して上記で説明されたように、通信構成を使用して基地局のセットのうちの少なくとも１つの基地局と通信し得る。ある特定の例では、ブロック１６２５の動作は、図６および７を参照して説明されたような協調通信コンポーネントによって実行され得る。
【０１４４】
[00151]図１７は、本開示の様々な態様にしたがった、拡張ＣｏＭＰ動作のための方法１７００を例示するフローチャートを示す。方法１７００の動作は、図１および２を参照して説明されたように、ＵＥ１１５またはＵＥ２１５のようなデバイス、またはそれらのコンポーネントによってインプリメントされ得る。例えば、方法１７００の動作は、本明細書で説明されるようなＵＥ ＣｏＭＰマネージャによって実行され得る。いくつかの例では、ＵＥ１１５は、以下で説明される機能を実行するために、デバイスの機能的な要素を制御するためのコードのセットを実行し得る。追加または代替として、ＵＥ１１５は、専用ハードウェアを使用して、以下で説明される機能の態様を実行し得る。
【０１４５】
[00152]ブロック１７０５において、ＵＥ１１５は、基地局のセットに関連付けられた通信構成のセットを受信し得、ここで、図２〜４を参照して上記で説明されたように、通信構成のセットのうちの少なくとも１つは、ＭＩＭＯレイヤ固有の構成またはコードワード固有の構成を含む。ある特定の例では、ブロック１７０５の動作は、図６および７を参照して説明されたような通信構成コンポーネントによって実行され得る。
【０１４６】
[00153]ブロック１７１０において、ＵＥ１１５は、図２〜４を参照して上記で説明されたように、通信構成のセットから通信構成のインジケーションを受信し得る。ある特定の例では、ブロック１７１０の動作は、図６および７を参照して説明されたような構成インジケーションコンポーネントによって実行され得る。
【０１４７】
[00154]ブロック１７１５において、ＵＥ１１５は、通信構成に基づいて基地局のセットの各々についての組み合わされたＣＳＩレポートを生成し得、ここで、通信構成は、図２〜４を参照して上記で説明されたように、基地局のセットとの通信に基づく。ある特定の例では、ブロック１７１５の動作は、図６および７を参照して説明されたようなＣＳＩレポートコンポーネントによって実行され得る。
【０１４８】
[00155]ブロック１７２０において、ＵＥ１１５は、図２〜４を参照して上記で説明されたように、基地局のセットの各々についての組み合わされたＣＳＩレポートを送信し得る。ある特定の例では、ブロック１７２０の動作は、図６および７を参照して説明されたようなＣＳＩレポートコンポーネントによって実行され得る。
【０１４９】
[00156]ブロック１７２５において、ＵＥ１１５は、図２〜４を参照して上記で説明されたように、通信構成を使用して基地局のセットのうちの少なくとも１つの基地局と通信し得る。ある特定の例では、ブロック１７２５の動作は、図６および７を参照して説明されたような協調通信コンポーネントによって実行され得る。
【０１５０】
[00157]図１８は、本開示の様々な態様にしたがった、拡張ＣｏＭＰ動作のための方法１８００を例示するフローチャートを示す。方法１８００の動作は、図１および２を参照して説明されたように、ＵＥ１１５またはＵＥ２１５のようなデバイス、またはそれらのコンポーネントによってインプリメントされ得る。例えば、方法１８００の動作は、本明細書で説明されるようなＵＥ ＣｏＭＰマネージャによって実行され得る。いくつかの例では、ＵＥ１１５は、以下で説明される機能を実行するために、デバイスの機能的な要素を制御するためのコードのセットを実行し得る。追加または代替として、ＵＥ １１５は、専用ハードウェアを使用して、以下で説明される機能の態様を実行し得る。
【０１５１】
[00158]ブロック１８０５において、ＵＥ１１５は、基地局のセットに関連付けられた通信構成のセットを受信し得、ここで、図２〜４を参照して上記で説明されたように、通信構成のセットのうちの少なくとも１つは、ＭＩＭＯレイヤ固有の構成またはコードワード固有の構成を含む。ある特定の例では、ブロック１８０５の動作は、図６および７を参照して説明されたような通信構成コンポーネントによって実行され得る。
【０１５２】
[00159]ブロック１８１０において、ＵＥ１１５は、図２〜４を参照して上記で説明されたように、通信構成のセットから通信構成のインジケーションを受信し得る。ある特定の例では、ブロック１８１０の動作は、図６および７を参照して説明されたような構成インジケーションコンポーネントによって実行され得る。
【０１５３】
[00160]ブロック１８１５において、ＵＥ１１５は、通信構成に基づいてセット基地局の各々のための特殊サブフレーム構成を識別し得、ここで、通信することは、図２〜４を参照して上記で説明されたように、特殊サブフレーム構成に基づく。ある特定の例では、ブロック１８１５の動作は、図６および７を参照して説明されたような特殊サブフレームコンポーネントによって実行され得る。
【０１５４】
[00161]ブロック１８２０において、ＵＥ１１５は、図２〜４を参照して上記で説明されたように、通信構成および特殊サブフレーム構成を使用して基地局のセットのうちの少なくとも１つの基地局と通信し得る。ある特定の例では、ブロック１８２０の動作は、図６および７を参照して説明されたような協調通信コンポーネントによって実行され得る。
【０１５５】
[00162]図１９は、本開示の様々な態様にしたがった、拡張ＣｏＭＰ動作のための方法１９００を例示するフローチャートを示す。方法１９００の動作は、図１を参照して説明されたように、基地局１０５のようなデバイスまたはそれのコンポーネントによってインプリメントされ得る。例えば、方法１９００の動作は、本明細書で説明されるような基地局ＣｏＭＰマネージャによって実行され得る。いくつかの例では、基地局１０５は、以下で説明される機能を実行するために、デバイスの機能的な要素を制御するためのコードのセットを実行し得る。追加または代替として、基地局１０５は、専用ハードウェアを使用して、以下で説明される機能の態様を実行し得る。
【０１５６】
[00163]ブロック１９０５において、基地局１０５は、基地局のセットに関連付けられた通信構成のセットを送信し得、ここで、図２〜４を参照して上記で説明されたように、通信構成のセットのうちの少なくとも１つは、ＭＩＭＯレイヤ固有の通信またはコードワード固有の通信に基づく。ある特定の例では、ブロック１９０５の動作は、図１０および１１を参照して説明されたような通信構成コンポーネントによって実行され得る。
【０１５７】
[00164]ブロック１９１０において、基地局１０５は、図２〜４を参照して上記で説明されたように、通信構成のセットから通信構成のインジケーションを送信し得る。ある特定の例では、ブロック１９１０の動作は、図１０および１１を参照して説明されたような構成インジケーションコンポーネントによって実行され得る。
【０１５８】
[00165]ブロック１９１５において、基地局１０５は、図２〜４を参照して上記で説明されたように、通信構成を使用してＵＥと通信し得る。ある特定の例では、ブロック１９１５の動作は、図１０および１１を参照して説明されたような協調通信コンポーネントによって実行され得る。
【０１５９】
[00166]これらの方法は、可能なインプリメンテーションを説明しており、動作およびステップは、他のインプリメンテーションが可能になるように、再構成（rearranged）または他の方法で変更され得ることに留意されたい。いくつかの例では、方法のうちの２つ以上からの態様が組み合わされ得る。例えば、方法の各々の態様は、本明細書で説明された他の方法のステップまたは態様、あるいは他のステップまたは技法を含み得る。よって、本開示の態様は、拡張ＣｏＭＰ動作を提供し得る。
【０１６０】
[00167]本明細書での説明は、当業者が本開示を製造または使用することを可能にするために提供される。本開示への様々な修正は、当業者には容易に明らかとなり、本明細書で定義された一般原理は、本開示の範囲から逸脱することなく、他の変形に適用され得る。よって、本開示は、本明細書で説明された例および設計に限定されるべきではなく、本明細書で開示された原理および新規の特徴に合致する最も広い範囲を与えられるべきである。
【０１６１】
[00168]本明細書で説明された機能は、ハードウェア、プロセッサによって実行されるソフトウェア、ファームウェア、またはこれらの任意の組み合わせでインプリメントされ得る。プロセッサによって実行されるソフトウェアでインプリメントされる場合、機能は、１つまたは複数の命令またはコードとして、コンピュータ可読媒体上に記憶され得るかまたはコンピュータ可読媒体を介して送信され得る。他の例およびインプリメンテーションは、添付された特許請求の範囲および本開示の範囲内にある。例えば、ソフトウェアの本質により、上記で説明された機能は、プロセッサによって実行されるソフトウェア、ハードウェア、ファームウェア、ハードワイヤリング、またはこれらの任意の組み合わせを使用してインプリメントされることができる。機能をインプリメントする特徴はまた、機能の部分が異なる物理的（物理的）ロケーションにおいてインプリメントされるように分散されることを含めて、様々なポジションにおいて物理的に設けられ得る。また、特許請求の範囲を含め、本明細書で使用される場合、項目のリスト（例えば、「のうちの少なくとも１つ」または「１つまたは複数の」のような表現で始まる項目のリスト）で使用される「または」は、例えば、Ａ、Ｂ、またはＣのうちの少なくとも１つというリストが、ＡまたはＢまたはＣまたはＡＢまたはＡＣまたはＢＣまたはＡＢＣ（すなわち、ＡおよびＢおよびＣ）を意味するような、包含的なリストを示す。
【０１６２】
[00169]コンピュータ可読媒体は、１つの場所から別の場所へのコンピュータプログラムの転送を容易にする任意の媒体を含む通信媒体と非一時的なコンピュータ記憶媒体との両方を含む。非一時的な記憶媒体は、汎用または特殊用途コンピュータによってアクセスされることができる任意の利用可能な媒体であり得る。限定ではなく例として、非一時的なコンピュータ可読媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいは、命令またはデータ構造の形式で所望のプログラムコード手段を搬送または記憶するために使用されることができ、かつ、汎用または専用コンピュータ、または汎用または専用プロセッサによってアクセスされることができる任意の他の非一時的な媒体を含むことができる。また、任意の接続は、コンピュータ可読媒体と厳密には称される。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、またはその他のリモートソースから送信される場合には、同軸ケーブル、光ファイバーケーブル、ツイストペア、ＤＳＬ、または赤外線、無線、およびマイクロ波、等のワイヤレス技術は、媒体の定義に含まれる。本明細書で使用される場合、ディスク（disk)およびディスク（disc）は、ＣＤ、レーザーディスク（登録商標）、光ディスク、デジタル多目的ディスク（ＤＶＤ）、フロッピー（登録商標）ディスクおよびＢｌｕ−ｒａｙ（登録商標）ディスクを含み、ここでディスク（disks）は、通常磁気的にデータを再生し、一方ディスク（discs）は、レーザーを用いて光学的にデータを再生する。上記の組み合わせもまた、コンピュータ可読媒体の範囲内に含まれる。
【０１６３】
[00170]本明細書で説明された技法は、ＣＤＭＡ、ＴＤＭＡ、ＦＤＭＡ、ＯＦＤＭＡ、単一キャリア周波数分割多元接続（ＳＣ−ＦＤＭＡ）、および他のシステムのような様々なワイヤレス通信システムに使用され得る。「システム」および「ネットワーク」という用語は、しばしば交換可能に使用される。ＣＤＭＡシステムは、ＣＤＭＡ２０００、ユニバーサル地上無線アクセス（ＵＴＲＡ）、等のような無線技術をインプリメントし得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００ １Ｘ、１Ｘ、等と称される。ＩＳ−８５６（ＴＩＡ−８５６）は、一般に、ＣＤＭＡ２０００ １ｘＥＶ−ＤＯ、高レートパケットデータ（ＨＲＰＤ）、等と称される。ＵＴＲＡは、広帯域ＣＤＭＡ（ＷＣＤＭＡ（登録商標））およびＣＤＭＡの他の変形を含む。ＴＤＭＡシステムは、（モバイル通信のためのグローバルシステム（ＧＳＭ）（登録商標））のような無線技術をインプリメントし得る。
【０１６４】
[00171]ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１、ＩＥＥＥ８０２．１６（ＷｉＭＡＸ）、ＩＥＥＥ８０２．２０、Ｆｌａｓｈ−ＯＦＤＭ、等のような無線技術をインプリメントし得る。ＵＴＲＡおよびＥ−ＵＴＲＡは、ユニバーサルモバイルテレコミュニケーションシステム（ユニバーサルモバイルテレコミュニケーションシステム（ＵＭＴＳ））の一部である。３ＧＰＰ（登録商標） ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ａ、およびＧＳＭは、「第３世代パートナーシッププロジェクト」（３ＧＰＰ）という名称の団体からの文書に説明されている。ＣＤＭＡ２０００およびＵＭＢは、「第３世代パートナーシッププロジェクト２」（３ＧＰＰ２）という名称の団体からの文書に説明されている。本明細書で説明された技法は、上述されたシステムおよび無線技術、ならびに他のシステムおよび無線技術のために使用され得る。しかしながら、本明細書での説明は、例という目的でＬＴＥシステムを説明し、本技法は、ＬＴＥアプリケーションを超えて適用可能であるが、ＬＴＥの専門用語が上記の説明の大部分において使用されている。
【０１６５】
[00172]本明細書で説明されたネットワークを含む、ＬＴＥ／ＬＴＥ−Ａネットワークでは、ｅＮＢという用語は、概して、基地局を説明するために使用され得る。本明細書に説明された１つまたは複数のワイヤレス通信システムは、異なるタイプのｅＮＢが様々な地理的領域に対してカバレッジを提供する異種ＬＴＥ／ＬＴＥ−Ａネットワークを含み得る。例えば、各ｅＮＢまたは基地局は、マクロセル、スモールセル、または他のタイプのセルに対して通信カバレッジを提供し得る。「セル」という用語は、コンテキストに応じて、基地局、基地局に関連付けられたキャリアまたはコンポーネントキャリア（ＣＣ）、あるいはキャリアまたは基地局のカバレッジエリア（例えば、セクタ、等）を説明するために使用されることができる３ＧＰＰ用語である。
【０１６６】
[00173]基地局は、ベーストランシーバ局、無線基地局、アクセスポイント（ＡＰ）、無線トランシーバ、ノードＢ、ｅノードＢ（ｅＮＢ）、ホームノードＢ、ホームｅノードＢ、または何らかの他の適切な専門用語で当業者によって呼ばれ得るか、あるいはそれらを含み得る。基地局のための地理的なカバレッジエリアは、カバレッジエリアの一部分のみを構成する複数のセクタに分割され得る。本明細書で説明された１つまたは複数のワイヤレス通信システムは、異なるタイプの基地局（例えば、マクロまたはスモールセル基地局）を含み得る。本明細書で説明されたＵＥは、マクロｅＮＢ、スモールセルｅＮＢ、中継基地局、および同様のものを含む、様々なタイプの基地局およびネットワーク機器と通信することが可能であり得る。異なる技術についての重複する地理的なカバレッジエリアが存在し得る。いくつかのケースでは、異なるカバレッジエリアは、異なる通信技術に関連付けられ得る。いくつかのケースでは、ある１つの通信技術に対するカバレッジエリアは、別の技術に関連付けられたカバレッジエリアと重複し得る。異なる技術は、同じ基地局に、または異なる基地局に関連付けられ得る。
【０１６７】
[00174]マクロセルは、概して、比較的大きい地理的なエリア（例えば、半径数キロメートル）をカバーし、ネットワークプロバイダにサービス加入しているＵＥによる無制限のアクセスを可能にし得る。スモールセルは、マクロセルと同じまたは異なる（例えば、ライセンス、アンライセンス、等の）周波数帯域で動作し得る、マクロセルと比較してより低い電力の基地局である。スモールセルは、様々な例にしたがって、ピコセル、フェムトセル、およびマイクロセルを含み得る。ピコセルは、例えば、小さい地理的なエリアをカバーし得、ネットワークプロバイダにサービス加入しているＵＥによる無制限のアクセスを可能にし得る。フェムトセルもまた、小さい地理的なエリア（例えば、自宅）をカバーし得、フェムトセルとの関連づけを有するＵＥ（例えば、クローズド加入者グループ（ＣＳＧ）中のＵＥ、自宅内のユーザのためのＵＥ、および同様のもの）による制限されたアクセスを提供し得る。マクロセルのためのｅＮＢは、マクロｅＮＢと称され得る。スモールセルのためのｅＮＢは、スモールセルｅＮＢ、ピコｅＮＢ、フェムトｅＮＢ、またはホームｅＮＢと称され得る。ｅＮＢは、１つまたは複数（例えば、２つ、３つ、４つ、等）のセル（例えば、ＣＣ）をサポートし得る。ＵＥは、マクロｅＮＢ、スモールセルｅＮＢ、中継基地局、および同様のものを含む様々なタイプの基地局およびネットワーク機器と通信することが可能であり得る。
【０１６８】
[00175]本明細書で説明された１つまたは複数のワイヤレス通信システムは、同期動作または非同期動作をサポートし得る。同期動作の場合、基地局は、同様のフレームタイミングを有し、異なる基地局からの送信は、時間的にほぼアラインされ得る（approximately aligned in time）。非同期動作の場合、基地局は、異なるフレームタイミングを有し、異なる基地局からの送信は、時間的にアラインされないことがある。本明細書で説明された技法は、同期動作または非同期動作のいずれかに使用され得る。
【０１６９】
[00176]本明細書で説明されたＤＬ送信はまた、順方向リンク送信と呼ばれ得、一方、ＵＬ送信はまた、逆方向リンク送信と呼ばれ得る。例えば、図１および図２のワイヤレス通信システム１００および２００を含む、本明細書で説明された各通信リンクは、１つまたは複数のキャリアを含み得、ここで、各キャリアは、複数のサブキャリア（例えば、異なる周波数の波形信号）から成る信号であり得る。各変調された信号は、異なるサブキャリア上で送られ得、制御情報（例えば、基準信号、制御チャネル、等）、オーバヘッド情報、ユーザデータ、等を搬送し得る。本明細書で説明された通信リンク（例えば、図１の通信リンク１２５）は、（例えば、対のスペクトルリソースを使用する）周波数分割複信（ＦＤＤ）または（例えば、対になっていないスペクトルリソースを使用する）ＴＤＤ動作を使用して、双方向通信を送信し得る。フレーム構造が、ＦＤＤ（例えば、フレーム構造タイプ1）およびＴＤＤ（例えば、フレーム構造タイプ２）のために定義され得る。
【０１７０】
[00177]よって、本開示の態様は、拡張ＣｏＭＰ動作を提供し得る。これらの方法は、可能なインプリメンテーションを説明しており、動作およびステップは、他のインプリメンテーションが可能になるように、再構成または他の方法で変更され得ることに留意されたい。いくつかの例では、方法のうちの２つ以上からの態様が組み合わされ得る。
【０１７１】
[00178]本明細書での開示に関連して説明された様々な例示的なブロックおよびモジュールは、汎用プロセッサ、デジタルシグナルプロセッサ（ＤＳＰ）、ＡＳＩＣ、フィールドプログラマブルゲートアレイ（ＦＰＧＡ）または他のプログラマブル論理デバイス、個別ゲートまたはトランジスタロジック、個別ハードウェアコンポーネント、または本明細書で説明された機能を実行するように設計されたこれらの任意の組み合わせを用いてインプリメントまたは実行され得る。汎用プロセッサは、マイクロプロセッサであり得るが、代替として、プロセッサは、任意の従来のプロセッサ、コントローラ、マイクロコントローラ、またはステートマシン（state machine）であり得る。プロセッサはまた、コンピューテイングデバイスの組み合わせ（例えば、ＤＳＰとマイクロプロセッサの組み合わせ、複数のマイクロプロセッサ、ＤＳＰコアと連携する１つまたは複数のマイクロプロセッサ、または任意の他のそのような構成）としてもインプリメントされ得る。よって、本明細書で説明される機能は、少なくとも１つの集積回路（ＩＣ）上で、１つまたは複数の他の処理ユニット（またはコア）によって実行され得る。様々な例では、異なるタイプのＩＣ（例えば、構造化／プラットフォームＡＳＩＣ、ＦＰＧＡ、または別のセミカスタムＩＣ）が使用され得、これらは、当該技術分野で知られている任意の方法でプログラムされ得る。各ユニットの機能はまた、１つまたは複数の汎用または特定用途向けプロセッサによって実行されるようにフォーマットされた、メモリにおいて具現化された命令で、全体的にまたは部分的に、インプリメントされ得る。
【０１７２】
[00179]添付された図面では、同様のコンポーネントまたは特徴は、同じ参照ラベルを有し得る。さらに、同じタイプの様々なコンポーネントは、参照ラベルの後に、ダッシュと、同様のコンポーネント間を区別する第２のラベルとを続けることによって区別され得る。第１の参照ラベルのみが本明細書において使用される場合、説明は、第２の参照ラベルにかかわらず、同じ第１の参照ラベルを有する同様のコンポーネントのうちの任意の１つに適用可能である。
【図１】
2019510416.tif 000003
【図２】
2019510416.tif 000004
【図３】
2019510416.tif 000005
【図４】
2019510416.tif 000006
【図５】
2019510416.tif 000007
【図６】
2019510416.tif 000008
【図７】
2019510416.tif 000009
【図８】
2019510416.tif 000010
【図９】
2019510416.tif 000011
【図１０】
2019510416.tif 000012
【図１１】
2019510416.tif 000013
【図１２】
2019510416.tif 000014
【図１３】
2019510416.tif 000015
【図１４】
2019510416.tif 000016
【図１５】
2019510416.tif 000017
【図１６】
2019510416.tif 000018
【図１７】
2019510416.tif 000019
【図１８】
2019510416.tif 000020
【図１９】
2019510416.tif 000021
【国際調査報告】
2019510416.tif 000022
2019510416.tif 000023
2019510416.tif 000024
2019510416.tif 000025